(57)【特許請求の範囲】
【請求項１】
基地局制御プロセッサ（ＢＣＰ）及び無線（ＲＦ）アップコンバーターを含んで、３セクターで構成された基地局（ＢＴＳ）及び管理局（ＢＳＭ）を含む移動通信システムにおける３セクター基地局送信電力自動変更方法において、
前記ＢＳＭで運用者からの送信減衰値変更命令語及び呼完了率閾値を受信する第１ステップと、
前記運用者から受信された送信減衰値変更命令語及び呼完了率閾値を前記３セクター基地局内ＢＣＰに伝送する第２ステップと、
前記ＢＣＰが３セクターの中でαセクターに属する多数個のＣＤＭＡチャネルの最適送信減衰値を全て検出した後、前記メモリに貯蔵する第３ステップと、
前記ＢＣＰが３セクターの中でβセクターに属する多数個のＣＤＭＡチャネルの最適送信減衰値を全て検出した後、前記メモリに貯蔵する第４ステップと、
前記ＢＣＰが３セクターの中でγセクターに属する多数個のＣＤＭＡチャネルの最適送信減衰値を全て検出した後、前記メモリに貯蔵する第５ステップと、
前記ＢＣＰが３セクターの中でα／βセクター間ソフトハンドオフを考慮して、α／βセクターで同一にサービスする多数個のＣＤＭＡチャネルの最適送信減衰値を全て検出した後、前記メモリに貯蔵する第６ステップと、
前記ＢＣＰが３セクターの中でβ／γセクター間ソフトハンドオフを考慮して、β／γセクターで同一にサービスする多数個のＣＤＭＡチャネルの最適送信減衰値を全て検出した後、前記メモリに貯蔵する第７ステップと、
前記ＢＣＰが３セクターの中でγ／αセクター間ソフトハンドオフを考慮して、γ／αセクターで同一にサービスする多数個のＣＤＭＡチャネルの最適送信減衰値を全て検出した後、前記メモリに貯蔵する第８ステップと、
前記ＢＣＰが前記メモリに貯蔵されたαセクター、βセクター、及びγセクターで各々サービスする多数個のＣＤＭＡチャネルに対する最適送信減衰値等とα／βセクター、β／γセクター、及びγ／αセクターハンドオフ時の各セクター別多数個のＣＤＭＡチャネルに対する最適送信減衰値を相互比較して、各セクター別にサービスする多数個のＣＤＭＡチャネルに対する最終送信減衰値を選択すると同時に該当ＲＦアップコンバーターに各々セッティングさせる第９ステップと、
を含み、
前記第３ステップは、
前記ＢＣＰが３セクターの中でαセクターに属する多数個のＣＤＭＡチャネルの中、任意のＣＤＭＡチャネルに対応されるサブセルを選択する第３−１ステップと、
前記ＢＣＰが任意のサブセルに対応されるＲＦアップコンバーターの送信減衰値を初期値である０に設定する第３−２ステップと、
前記ＢＣＰが現在設定された任意のサブセルに対応されるＲＦアップコンバーターの送信減衰値がそのＲＦアップコンバーターで調節可能な送信減衰値範囲を超過したかの如何を判断する第３−３ステップと、
前記第３−３ステップで、現在設定された任意のサブセルに対応されるＲＦアップコンバーターの送信減衰値がそのＲＦアップコンバーターで調節可能な送信減衰値範囲を超過しなければ、前記ＢＣＰが現在設定された任意のサブセルに対応されるＲＦアップコンバーターを制御して端末器にフェ−ジング信号を伝送する第３−４ステップと、
前記ＢＣＰが端末器からのフェ−ジング応答信号が受信されたのかの如何を判断する第３−５ステップと、
前記第３−５ステップで、フェ−ジング応答信号が受信されなければ、再び前記第３−５ステップに進行する一方、フェ−ジング応答信号が受信されれば、前記ＢＣＰがそのフェ−ジング応答信号の送信電力を検出すると同時に、その送信電力の送信減衰値に対する呼完了率を算出する第３−６ステップと、
前記ＢＣＰが現在設定された任意のサブセルに対応されるＲＦアップコンバーターの呼完了率が運用者が入力した呼完了率閾値以上であるかの如何を判断する第３−７ステップと、
前記第３−７ステップで現在設定された任意のサブセルに対応されるＲＦアップコンバーターの呼完了率が運用者が入力した呼完了率閾値以上であれば、前記ＢＣＰが現在設定された任意のＲＦアップコンバーターにセッティングされた送信減衰値をメモリに貯蔵する第３−８ステップと、
前記ＢＣＰが３セクターの中でαセクターに属する全てのＣＤＭＡチャネルに対する最適送信減衰値検出動作が完了されたかの如何を判断して、αセクターに属する全てのＣＤＭＡチャネルに対する最適送信減衰値検出動作が完了すれば、前記第４ステップに進行する第３−９ステップと、
を含むことを特徴とする移動通信システム内３セクター基地局の送信電力自動変更方法。
【請求項２】
前記第３−３ステップで現在設定された任意のサブセルに対応されるＲＦアップコンバーターの送信減衰値がそのＲＦアップコンバーターで調節可能な送信減衰値範囲を超過すれば、前記ＢＣＰが送信減衰値変更動作を中断するというメッセージを運用者にディスプレーさせた後終了する第３−１０ステップをさらに含むことを特徴とする請求項１に記載の移動通信システム内３セクター基地局の送信電力自動変更方法。
【請求項３】
前記第３−７ステップで、現在設定された任意のサブセルに対応されるＲＦアップコンバーターの呼完了率が運用者が入力した呼完了率閾値未満であるならば、前記ＢＣＰが現在設定された任意のサブセルに対応されるＲＦアップコンバーターの送信減衰値を次の減衰値に調節した後、前記第３−３ステップに進行する第３−１１ステップをさらに含むことを特徴とする請求項１に記載の移動通信システム内３セクター基地局の送信電力自動変更方法。
【請求項４】
前記第３−９ステップで、αセクターに属する全てのＣＤＭＡチャネルに対する最適送信減衰値検出動作が完了しなければ、前記ＢＣＰがαセクターに属する多数個のＣＤＭＡチャネルの中から次のＣＤＭＡチャネルに対応されるサブセルを選択した後、前記第３−２ステップに進行する第３−１２ステップをさらに含むことを特徴とする請求項１に記載の移動通信システム内３セクター基地局の送信電力自動変更方法。
【請求項５】
基地局制御プロセッサ（ＢＣＰ）及び無線（ＲＦ）アップコンバーターを含んで、３セクターで構成された基地局（ＢＴＳ）及び管理局（ＢＳＭ）を含む移動通信システムにおける３セクター基地局送信電力自動変更方法において、
前記ＢＳＭで運用者からの送信減衰値変更命令語及び呼完了率閾値を受信する第１ステップと、
前記運用者から受信された送信減衰値変更命令語及び呼完了率閾値を前記３セクター基地局内ＢＣＰに伝送する第２ステップと、
前記ＢＣＰが３セクターの中でαセクターに属する多数個のＣＤＭＡチャネルの最適送信減衰値を全て検出した後、前記メモリに貯蔵する第３ステップと、
前記ＢＣＰが３セクターの中でβセクターに属する多数個のＣＤＭＡチャネルの最適送信減衰値を全て検出した後、前記メモリに貯蔵する第４ステップと、
前記ＢＣＰが３セクターの中でγセクターに属する多数個のＣＤＭＡチャネルの最適送信減衰値を全て検出した後、前記メモリに貯蔵する第５ステップと、
前記ＢＣＰが３セクターの中でα／βセクター間ソフトハンドオフを考慮して、α／βセクターで同一にサービスする多数個のＣＤＭＡチャネルの最適送信減衰値を全て検出した後、前記メモリに貯蔵する第６ステップと、
前記ＢＣＰが３セクターの中でβ／γセクター間ソフトハンドオフを考慮して、β／γセクターで同一にサービスする多数個のＣＤＭＡチャネルの最適送信減衰値を全て検出した後、前記メモリに貯蔵する第７ステップと、
前記ＢＣＰが３セクターの中でγ／αセクター間ソフトハンドオフを考慮して、γ／αセクターで同一にサービスする多数個のＣＤＭＡチャネルの最適送信減衰値を全て検出した後、前記メモリに貯蔵する第８ステップと、
前記ＢＣＰが前記メモリに貯蔵されたαセクター、βセクター、及びγセクターで各々サービスする多数個のＣＤＭＡチャネルに対する最適送信減衰値等とα／βセクター、β／γセクター、及びγ／αセクターハンドオフ時の各セクター別多数個のＣＤＭＡチャネルに対する最適送信減衰値を相互比較して、各セクター別にサービスする多数個のＣＤＭＡチャネルに対する最終送信減衰値を選択すると同時に該当ＲＦアップコンバーターに各々セッティングさせる第９ステップと、
を含み、
前記第４ステップは、
前記ＢＣＰが３セクターの中でセクターに属する多数個のＣＤＭＡチャネルの中、任意のＣＤＭＡチャネルに対応されるサブセルを選択する第４−１ステップと、
前記ＢＣＰが任意のサブセルに対応されるＲＦアップコンバーターの送信減衰値を初期値である０に設定する第４−２ステップと、
前記ＢＣＰが現在設定された任意のサブセルに対応されるＲＦアップコンバーターの送信減衰値がそのＲＦアップコンバーターで調節可能な送信減衰値範囲を超過したかの如何を判断する第４−３ステップと、
前記第４−３ステップで現在設定された任意のサブセルに対応されるＲＦアップコンバーターの送信減衰値がそのＲＦアップコンバーターで調節可能な送信減衰値範囲を超過しなければ、前記ＢＣＰが現在設定された任意のサブセルに対応されるＲＦアップコンバーターを制御して端末器にフェ−ジング信号を伝送する第４−４ステップと、
前記ＢＣＰが端末器からのフェ−ジング応答信号が受信されたかの如何を判断する第４−５ステップと、
前記第４−５ステップで、フェ−ジング応答信号が受信されなければ、再び前記第４−５ステップに進行する一方、フェ−ジング応答信号が受信されれば、前記ＢＣＰがそのフェ−ジング応答信号の送信電力を検出すると同時に、その送信電力の送信減衰値に対する呼完了率を算出する第４−６ステップと、
前記ＢＣＰが現在設定された任意のサブセルに対応されるＲＦアップコンバーターの呼完了率が運用者が入力した呼完了率閾値以上であるかの如何を判断する第４−７ステップと、
前記第４−７ステップで現在設定された任意のサブセルに対応されるＲＦアップコンバーターの呼完了率が運用者が入力した呼完了率閾値以上であるならば、前記ＢＣＰが現在設定された任意のＲＦアップコンバーターにセッティングされた送信減衰値をメモリに貯蔵する第４−８ステップと、
前記ＢＣＰが３セクターの中でβセクターに属する全てのＣＤＭＡチャネルに対する最適送信減衰値検出動作が完了されたかの如何を判断して、βセクターに属する全てのＣＤＭＡチャネルに対する最適送信減衰値検出動作が完了すれば、前記第５ステップに進行する第４−９ステップと、
を含むことを特徴とする移動通信システム内３セクター基地局の送信電力自動変更方法。
【請求項６】
前記第４−３ステップで現在設定された任意のサブセルに対応されるＲＦアップコンバーターの送信減衰値がそのＲＦアップコンバーターで調節可能な送信減衰値範囲を超過すれば、前記ＢＣＰが送信減衰値変更動作を中断するというメッセージを運用者にディスプレーさせた後終了する第４−１０ステップをさらに含むことを特徴とする請求項５に記載の移動通信システム内３セクター基地局の送信電力自動変更方法。
【請求項７】
前記第４−７ステップで、現在設定された任意のサブセルに対応されるＲＦアップコンバーターの呼完了率が運用者が入力した呼完了率閾値未満であるならば、前記ＢＣＰが現在設定された任意のサブセルに対応されるＲＦアップコンバーターの送信減衰値を次の減衰値に調節した後、前記第４−３ステップに進行する第４−１１ステップをさらに含むことを特徴とする請求項５に記載の移動通信システム内３セクター基地局の送信電力自動変更方法。
【請求項８】
前記第４−９ステップで、βセクターに属する全てのＣＤＭＡチャネルに対する最適送信減衰値検出動作が完了しなければ、前記ＢＣＰがβセクターに属する多数個のＣＤＭＡチャネルの中で次の順番目のＣＤＭＡチャネルに対応されるサブセルを選択した後、前記第４−２ステップに進行する第４−１２ステップをさらに含むことを特徴とする請求項５に記載の移動通信システム内３セクター基地局の送信電力自動変更方法。
【請求項９】
基地局制御プロセッサ（ＢＣＰ）及び無線（ＲＦ）アップコンバーターを含んで、３セクターで構成された基地局（ＢＴＳ）及び管理局（ＢＳＭ）を含む移動通信システムにおける３セクター基地局送信電力自動変更方法において、
前記ＢＳＭで運用者からの送信減衰値変更命令語及び呼完了率閾値を受信する第１ステップと、
前記運用者から受信された送信減衰値変更命令語及び呼完了率閾値を前記３セクター基地局内ＢＣＰに伝送する第２ステップと、
前記ＢＣＰが３セクターの中でαセクターに属する多数個のＣＤＭＡチャネルの最適送信減衰値を全て検出した後、前記メモリに貯蔵する第３ステップと、
前記ＢＣＰが３セクターの中でβセクターに属する多数個のＣＤＭＡチャネルの最適送信減衰値を全て検出した後、前記メモリに貯蔵する第４ステップと、
前記ＢＣＰが３セクターの中でγセクターに属する多数個のＣＤＭＡチャネルの最適送信減衰値を全て検出した後、前記メモリに貯蔵する第５ステップと、
前記ＢＣＰが３セクターの中でα／βセクター間ソフトハンドオフを考慮して、α／βセクターで同一にサービスする多数個のＣＤＭＡチャネルの最適送信減衰値を全て検出した後、前記メモリに貯蔵する第６ステップと、
前記ＢＣＰが３セクターの中でβ／γセクター間ソフトハンドオフを考慮して、β／γセクターで同一にサービスする多数個のＣＤＭＡチャネルの最適送信減衰値を全て検出した後、前記メモリに貯蔵する第７ステップと、
前記ＢＣＰが３セクターの中でγ／αセクター間ソフトハンドオフを考慮して、γ／αセクターで同一にサービスする多数個のＣＤＭＡチャネルの最適送信減衰値を全て検出した後、前記メモリに貯蔵する第８ステップと、
前記ＢＣＰが前記メモリに貯蔵されたαセクター、βセクター、及びγセクターで各々サービスする多数個のＣＤＭＡチャネルに対する最適送信減衰値等とα／βセクター、β／γセクター、及びγ／αセクターハンドオフ時の各セクター別多数個のＣＤＭＡチャネルに対する最適送信減衰値を相互比較して、各セクター別にサービスする多数個のＣＤＭＡチャネルに対する最終送信減衰値を選択すると同時に該当ＲＦアップコンバーターに各々セッティングさせる第９ステップと、
を含み、
前記第５ステップは、
前記ＢＣＰが３セクターの中で、γセクターに属する多数個のＣＤＭＡチャネルの中、任意のＣＤＭＡチャネルに対応されるサブセルを選択する第５−１ステップと、
前記ＢＣＰが任意のサブセルに対応されるＲＦアップコンバーターの送信減衰値を初期値である０に設定する第５−２ステップと、
前記ＢＣＰが現在設定された任意のサブセルに対応されるＲＦアップコンバーターの送信減衰値がそのＲＦアップコンバーターで調節可能な送信減衰値範囲を超過したかの如何を判断する第５−３ステップと、
前記第５−３ステップで現在設定された任意のサブセルに対応されるＲＦアップコンバーターの送信減衰値がそのＲＦアップコンバーターで調節可能な送信減衰値範囲を超過しなければ、前記ＢＣＰが現在設定された任意のサブセルに対応されるＲＦアップコンバーターを制御して端末器にフェ−ジング信号を伝送する第５−４ステップと、
前記ＢＣＰが端末器からのフェ−ジング応答信号が受信されたのかの如何を判断する第５−５ステップと、
前記第５−５ステップで、フェ−ジング応答信号が受信されなければ、再び前記第５−５ステップに進行し、フェ−ジング応答信号が受信されれば、前記ＢＣＰがそのフェ−ジング応答信号の送信電力を検出すると同時に、その送信電力の送信減衰値に対する呼完了率を算出する第５−６ステップと、
前記ＢＣＰが現在設定された任意のサブセルに対応されるＲＦアップコンバーターの呼完了率が運用者が入力した呼完了率閾値以上であるかの如何を判断する第５−７ステップと、
前記第５−７ステップで、現在設定された任意のサブセルに対応されるＲＦアップコンバーターの呼完了率が運用者が入力した呼完了率閾値以上であるならば、前記ＢＣＰが現在設定された任意のＲＦアップコンバーターにセッティングされた送信減衰値をメモリに貯蔵する第５−８ステップと、
前記ＢＣＰが３セクターの中でγセクターに属する全てのＣＤＭＡチャネルに対する最適送信減衰値検出動作が完了したかの如何を判断して、γセクターに属する全てのＣＤＭＡチャネルに対する最適送信減衰値検出動作が完了すれば、前記第６ステップに進行する第５−９ステップと
を含むことを特徴とする移動通信システム内３セクター基地局の送信電力自動変更方法。
【請求項１０】
前記第５−３ステップで、現在設定された任意のサブセルに対応されるＲＦアップコンバーターの送信減衰値がそのＲＦアップコンバーターで調節可能な送信減衰値範囲を超過すれば、前記ＢＣＰが送信減衰値変更動作を中断するというメッセージを運用者にディスプレーさせた後終了する第５−１０ステップをさらに含むことを特徴とする請求項９に記載の移動通信システム内３セクター基地局の送信電力自動変更方法。
【請求項１１】
前記第５−７ステップで、現在設定された任意のサブセルに対応されるＲＦアップコンバーターの呼完了率が運用者が入力した呼完了率閾値未満であるならば、前記ＢＣＰが現在設定された任意のサブセルに対応されるＲＦアップコンバーターの送信減衰値を次の減衰値に調節した後、前記第５−３ステップに進行する第５−１１ステップをさらに含むことを特徴とする請求項９に記載の移動通信システム内３セクター基地局の送信電力自動変更方法。
【請求項１２】
前記第５−９ステップで、γセクターに属する全てのＣＤＭＡチャネルに対する最適送信減衰値検出動作が完了しなければ、前記ＢＣＰがγセクターに属する多数個のＣＤＭＡチャネルの中で次の順番目のＣＤＭＡチャネルに対応されるサブセルを選択した後、前記第５−２ステップに進行する第５−１２ステップをさらに含むことを特徴とする請求項９に記載の移動通信システム内３セクター  基地局の送信電力自動変更方法。
【請求項１３】
基地局制御プロセッサ（ＢＣＰ）及び無線（ＲＦ）アップコンバーターを含んで、３セクターで構成された基地局（ＢＴＳ）及び管理局（ＢＳＭ）を含む移動通信システムにおける３セクター基地局送信電力自動変更方法において、
前記ＢＳＭで運用者からの送信減衰値変更命令語及び呼完了率閾値を受信する第１ステップと、
前記運用者から受信された送信減衰値変更命令語及び呼完了率閾値を前記３セクター基地局内ＢＣＰに伝送する第２ステップと、
前記ＢＣＰが３セクターの中でαセクターに属する多数個のＣＤＭＡチャネルの最適送信減衰値を全て検出した後、前記メモリに貯蔵する第３ステップと、
前記ＢＣＰが３セクターの中でβセクターに属する多数個のＣＤＭＡチャネルの最適送信減衰値を全て検出した後、前記メモリに貯蔵する第４ステップと、
前記ＢＣＰが３セクターの中でγセクターに属する多数個のＣＤＭＡチャネルの最適送信減衰値を全て検出した後、前記メモリに貯蔵する第５ステップと、
前記ＢＣＰが３セクターの中でα／βセクター間ソフトハンドオフを考慮して、α／βセクターで同一にサービスする多数個のＣＤＭＡチャネルの最適送信減衰値を全て検出した後、前記メモリに貯蔵する第６ステップと、
前記ＢＣＰが３セクターの中でβ／γセクター間ソフトハンドオフを考慮して、β／γセクターで同一にサービスする多数個のＣＤＭＡチャネルの最適送信減衰値を全て検出した後、前記メモリに貯蔵する第７ステップと、
前記ＢＣＰが３セクターの中でγ／αセクター間ソフトハンドオフを考慮して、γ／αセクターで同一にサービスする多数個のＣＤＭＡチャネルの最適送信減衰値を全て検出した後、前記メモリに貯蔵する第８ステップと、
前記ＢＣＰが前記メモリに貯蔵されたαセクター、βセクター、及びγセクターで各々サービスする多数個のＣＤＭＡチャネルに対する最適送信減衰値等とα／βセクター、β／γセクター、及びγ／αセクターハンドオフ時の各セクター別多数個のＣＤＭＡチャネルに対する最適送信減衰値を相互比較して、各セクター別にサービスする多数個のＣＤＭＡチャネルに対する最終送信減衰値を選択すると同時に該当ＲＦアップコンバーターに各々セッティングさせる第９ステップと、
を含み、
前記第６ステップは、
前記ＢＣＰがα／βセクター間ソフトハンドオフ時、α／βセクターで同一にサービスする多数個のＣＤＭＡチャネルの中、任意のＣＤＭＡチャネルに対応されるサブセルを各々選択する第６−１ステップと、
前記ＢＣＰがα／βセクター内任意のサブセルに各々対応されるＲＦアップコンバーターの送信減衰値を初期値である０に同一に設定する第６−２ステップと、
前記ＢＣＰが現在設定されたα／βセクター内任意のサブセルに各々対応されるＲＦアップコンバーターの送信減衰値がそのＲＦアップコンバーターで調節可能な送信減衰値範囲を超過したかの如何を判断する第６−３ステップと、
前記第６−３ステップで、現在設定された任意のサブセルに各々対応されるＲＦアップコンバーターの送信減衰値がそのＲＦアップコンバーターで調節可能な送信減衰値範囲を超過しなければ、前記ＢＣＰが現在設定された任意のサブセルに各々対応されるＲＦアップコンバーターを制御して該当端末器に各々フェ−ジング信号を伝送する第６−４ステップと、
前記ＢＣＰが該当端末器からフェ−ジング応答信号が全て受信されたかの如何を判断する第６−５ステップと、
前記第６−５ステップで、該当端末器からのフェ−ジング応答信号が全て受信されなければ、再び前記第６−５ステップに進行し、該当端末器からのフェ−ジング応答信号が全て受信されれば、前記ＢＣＰがそのフェ−ジング応答信号の送信電力を検出すると同時に、その送信電力の送信減衰値に対する呼完了率を各々算出する第６−６ステップと、
前記ＢＣＰが現在設定された任意のサブセルに各々対応されるＲＦアップコンバーターの呼完了率が運用者が入力した呼完了率閾値以上であるかの如何を判断する第６−７ステップと、
前記第６−７ステップで、現在設定された任意のサブセルに各々対応されるＲＦアップコンバーターの呼完了率が運用者が入力した呼完了率閾値以上であるならば、前記ＢＣＰが現在設定された任意のＲＦアップコンバーターにセッティングされた送信減衰値を各々メモリに貯蔵する第６−８ステップと、
前記ＢＣＰがα／βセクター間ソフトハンドオフに対する最適送信減衰値検出動作が完了したのかの如何を判断して、α／βセクター間ソフトハンドオフに対する最適送信減衰値検出動作が完了すれば、前記第７ステップに進行する第６−９ステップと、
を含むことを特徴とする移動通信システム内３セクター基地
局の送信電力自動変更方法。
【請求項１４】
前記第６−３ステップで、現在設定された任意のサブセルに各々対応されるＲＦアップコンバーターの送信減衰値がそのＲＦアップコンバーターで調節可能な送信減衰値範囲を超過すれば、前記ＢＣＰが送信減衰値変更動作を中断するというメッセージを運用者にディスプレーさせた後終了する第６−１０ステップをさらに含むことを特徴とする請求項１３に記載の移動通信システム内３セクター基地局の送信電力自動変更方法。
【請求項１５】
前記第６−７ステップで、現在設定された任意のサブセルに各々対応されるＲＦアップコンバーターの呼完了率が運用者が入力した呼完了率閾値未満であるならば、前記ＢＣＰが現在設定された任意のサブセルに各々対応されるＲＦアップコンバーターの送信減衰値を次の減衰値に各々調節した後、前記第６−３ステップに進行する第６−１１ステップをさらに含むことを特徴とする請求項１３に記載の移動通信システム内３セクター基地局の送信電力自動変更方法。
【請求項１６】
前記第６−９ステップで、α／βセクター間ソフトハンドオフに対する最適送信減衰値検出動作が完了しなければ、前記ＢＣＰがα／βセクター間ソフトハンドオフ時α／βセクターで同一にサービスする多数個のＣＤＭＡチャネルの中、次の順番目のＣＤＭＡチャネルに対応されるサブセルを各々選択した後、前記第６−２ステップに進行する第６−１２ステップをさらに含むことを特徴とする請求項１３に記載の移動通信システム内３セクター基地局の送信電力自動変更方法。
【請求項１７】
基地局制御プロセッサ（ＢＣＰ）及び無線（ＲＦ）アップコンバーターを含んで、３セクターで構成された基地局（ＢＴＳ）及び管理局（ＢＳＭ）を含む移動通信システムにおける３セクター基地局送信電力自動変更方法において、
前記ＢＳＭで運用者からの送信減衰値変更命令語及び呼完了率閾値を受信する第１ステップと、
前記運用者から受信された送信減衰値変更命令語及び呼完了率閾値を前記３セクター基地局内ＢＣＰに伝送する第２ステップと、
前記ＢＣＰが３セクターの中でαセクターに属する多数個のＣＤＭＡチャネルの最適送信減衰値を全て検出した後、前記メモリに貯蔵する第３ステップと、
前記ＢＣＰが３セクターの中でβセクターに属する多数個のＣＤＭＡチャネルの最適送信減衰値を全て検出した後、前記メモリに貯蔵する第４ステップと、
前記ＢＣＰが３セクターの中でγセクターに属する多数個のＣＤＭＡチャネルの最適送信減衰値を全て検出した後、前記メモリに貯蔵する第５ステップと、
前記ＢＣＰが３セクターの中でα／βセクター間ソフトハンドオフを考慮して、α／βセクターで同一にサービスする多数個のＣＤＭＡチャネルの最適送信減衰値を全て検出した後、前記メモリに貯蔵する第６ステップと、
前記ＢＣＰが３セクターの中でβ／γセクター間ソフトハンドオフを考慮して、β／γセクターで同一にサービスする多数個のＣＤＭＡチャネルの最適送信減衰値を全て検出した後、前記メモリに貯蔵する第７ステップと、
前記ＢＣＰが３セクターの中でγ／αセクター間ソフトハンドオフを考慮して、γ／αセクターで同一にサービスする多数個のＣＤＭＡチャネルの最適送信減衰値を全て検出した後、前記メモリに貯蔵する第８ステップと、
前記ＢＣＰが前記メモリに貯蔵されたαセクター、βセクター、及びγセクターで各々サービスする多数個のＣＤＭＡチャネルに対する最適送信減衰値等とα／βセクター、β／γセクター、及びγ／αセクターハンドオフ時の各セクター別多数個のＣＤＭＡチャネルに対する最適送信減衰値を相互比較して、各セクター別にサービスする多数個のＣＤＭＡチャネルに対する最終送信減衰値を選択すると同時に該当ＲＦアップコンバーターに各々セッティングさせる第９ステップと、
を含み、
前記第７ステップは、
前記ＢＣＰがβ／γセクター間ソフトハンドオフ時β／γセクターで同一にサービスする多数個のＣＤＭＡチャネルの中、任意のＣＤＭＡチャネルに対応されるサブセルを各々選択する第７−１ステップと、
前記ＢＣＰがβ／γセクター内任意のサブセルに各々対応されるＲＦアップコンバーターの送信減衰値を初期値である０に同一に設定する第７−２ステップと、
前記ＢＣＰが現在設定されたβ／γセクター内任意のサブセルに各々対応されるＲＦアップコンバーターの送信減衰値がそのＲＦアップコンバーターで調節可能な送信減衰値範囲を超過したかの如何を判断する第７−３ステップと、
前記第７−３ステップで現在設定された任意のサブセルに各々対応されるＲＦアップコンバーターの送信減衰値がそのＲＦアップコンバーターで調節可能な送信減衰値範囲を超過しなければ、前記ＢＣＰが現在設定された任意のサブセルに各々対応されるＲＦアップコンバーターを制御して該当端末器に各々フェ−ジング信号を伝送する第７−４ステップと、
前記ＢＣＰが該当端末器からのフェ−ジング応答信号が全て受信されたかの如何を判断する第７−５ステップと、
前記第７−５ステップで該当端末器からのフェ−ジング応答信号が全て受信されなければ、再び前記第７−５ステップに進行し、該当端末器からのフェ−ジング応答信号が全て受信されれば、前記ＢＣＰがそのフェ−ジング応答信号の送信電力を検出すると同時に、その送信電力の送信減衰値に対する呼完了率を各々算出する第７−６ステップと、
前記ＢＣＰが現在設定された任意のサブセルに各々対応されるＲＦアップコンバーターの呼完了率が運用者が入力した呼完了率閾値以上であるかの如何を判断する第７−７ステップと、
前記第７−７ステップで、現在設定された任意のサブセルに各々対応されるＲＦアップコンバーターの呼完了率が運用者が入力した呼完了率閾値以上であるならば、前記ＢＣＰが現在設定された任意のＲＦアップコンバーターにセッティングされた送信減衰値を各々メモリに貯蔵する第７−８ステップと、
前記ＢＣＰがβ／γセクター間ソフトハンドオフに対する最適送信減衰値検出動作が完了したかの如何を判断して、β／γセクター間ソフトハンドオフに対する最適送信減衰値検出動作が完了すれば、前記第８ステップに進行する第７−９ステップと、
を含むことを特徴とする移動通信システム内３セクター基地局の送信電力自動変更方法。
【請求項１８】
前記第７−３ステップで、現在設定された任意のサブセルに各々対応されるＲＦアップコンバーターの送信減衰値がそのＲＦアップコンバーターで調節可能な送信減衰値範囲を超過すれば、前記ＢＣＰが送信減衰値変更動作を中断するというメッセージを運用者にディスプレーさせた後終了する第７−１０ステップをさらに含むことを特徴とする請求項１７に記載の移動通信システム内３セクター基地局の送信電力自動変更方法。
【請求項１９】
前記第７−７ステップで、現在設定された任意のサブセルに各々対応されるＲＦアップコンバーターの呼完了率が運用者が入力した呼完了率閾値未満であるならば、前記ＢＣＰが現在設定された任意のサブセルに各々対応されるＲＦアップコンバーターの送信減衰値を次の減衰値に各々調節した後、前記第７−３ステップに進行する第７−１１ステップをさらに含むことを特徴とする請求項１７に記載の移動通信システム内３セクター基地局の送信電力自動変更方法。
【請求項２０】
前記第７−９ステップで、β／γセクター間ソフトハンドオフに対する最適送信減衰値検出動作が完了しなければ、前記ＢＣＰがβ／γセクター間ソフトハンドオフ時β／γセクターで同一にサービスする多数個のＣＤＭＡチャネルの中、次の順番目のＣＤＭＡチャネルに対応されるサブセルを各々選択した後、前記第７−２ステップに進行する第７−１２ステップをさらに含むことを特徴とする請求項１７に記載の移動通信システム内３セクター基地局の送信電力自動変更方法。
【請求項２１】
基地局制御プロセッサ（ＢＣＰ）及び無線（ＲＦ）アップコンバーターを含んで、３セクターで構成された基地局（ＢＴＳ）及び管理局（ＢＳＭ）を含む移動通信システムにおける３セクター基地局送信電力自動変更方法において、
前記ＢＳＭで運用者からの送信減衰値変更命令語及び呼完了率閾値を受信する第１ステップと、
前記運用者から受信された送信減衰値変更命令語及び呼完了率閾値を前記３セクター基地局内ＢＣＰに伝送する第２ステップと、
前記ＢＣＰが３セクターの中でαセクターに属する多数個のＣＤＭＡチャネルの最適送信減衰値を全て検出した後、前記メモリに貯蔵する第３ステップと、
前記ＢＣＰが３セクターの中でβセクターに属する多数個のＣＤＭＡチャネルの最適送信減衰値を全て検出した後、前記メモリに貯蔵する第４ステップと、
前記ＢＣＰが３セクターの中でγセクターに属する多数個のＣＤＭＡチャネルの最適送信減衰値を全て検出した後、前記メモリに貯蔵する第５ステップと、
前記ＢＣＰが３セクターの中でα／βセクター間ソフトハンドオフを考慮して、α／βセクターで同一にサービスする多数個のＣＤＭＡチャネルの最適送信減衰値を全て検出した後、前記メモリに貯蔵する第６ステップと、
前記ＢＣＰが３セクターの中でβ／γセクター間ソフトハンドオフを考慮して、β／γセクターで同一にサービスする多数個のＣＤＭＡチャネルの最適送信減衰値を全て検出した後、前記メモリに貯蔵する第７ステップと、
前記ＢＣＰが３セクターの中でγ／αセクター間ソフトハンドオフを考慮して、γ／αセクターで同一にサービスする多数個のＣＤＭＡチャネルの最適送信減衰値を全て検出した後、前記メモリに貯蔵する第８ステップと、
前記ＢＣＰが前記メモリに貯蔵されたαセクター、βセクター、及びγセクターで各々サービスする多数個のＣＤＭＡチャネルに対する最適送信減衰値等とα／βセクター、β／γセクター、及びγ／αセクターハンドオフ時の各セクター別多数個のＣＤＭＡチャネルに対する最適送信減衰値を相互比較して、各セクター別にサービスする多数個のＣＤＭＡチャネルに対する最終送信減衰値を選択すると同時に該当ＲＦアップコンバーターに各々セッティングさせる第９ステップと、
を含み、
前記第８ステップは、
前記ＢＣＰがγ／αセクター間ソフトハンドオフ時γ／αセクターで同一にサービスする多数個のＣＤＭＡチャネルの中、任意のＣＤＭＡチャネルに対応されるサブセルを各々選択する第８−１ステップと、
前記ＢＣＰがγ／αセクター内任意のサブセルに各々対応されるＲＦアップコンバーターの送信減衰値を初期値である０に同一に設定する第８−２ステップと、
前記ＢＣＰが現在設定されたγ／αセクター内任意のサブセルに各々対応されるＲＦアップコンバーターの送信減衰値がそのＲＦアップコンバーターで調節可能な送信減衰値範囲を超過したかの如何を判断する第８−３ステップと、
前記第８−３ステップで現在設定された任意のサブセルに各々対応されるＲＦアップコンバーターの送信減衰値がそのＲＦアップコンバーターで調節可能な送信減衰値範囲を超過しなければ、前記ＢＣＰが現在設定された任意のサブセルに各々対応されるＲＦアップコンバーターを制御して該当端末器に各々フェ−ジング信号を伝送する第８−４ステップと、
前記ＢＣＰが該当端末器からのフェ−ジング応答信号が全て受信されたかの如何を判断する第８−５ステップと、
前記第８−５ステップで該当端末器からのフェ−ジング応答信号が全て受信されなければ、再び前記第８−５ステップに進行し、該当端末器からのフェ−ジング応答信号が全て受信されれば、前記ＢＣＰがそのフェ−ジング応答信号の送信電力を検出すると同時に、その送信電力の送信減衰値に対する呼完了率を各々算出する第８−６ステップと、
前記ＢＣＰが現在設定された任意のサブセルに各々対応されるＲＦアップコンバーターの呼完了率が運用者が入力した呼完了率閾値以上であるかの如何を判断する第８−７ステップと、
前記第８−７ステップで現在設定された任意のサブセルに各々対応されるＲＦアップコンバーターの呼完了率が運用者が入力した呼完了率閾値以上であるならば、前記ＢＣＰが現在設定された任意のＲＦアップコンバーターにセッティングされた送信減衰値を各々メモリに貯蔵する第８−８ステップと、
前記ＢＣＰがγ／αセクター間ソフトハンドオフに対する最適送信減衰値検出動作が完了したかの如何を判断して、γ／αセクター間ソフトハンドオフに対する最適送信減衰値検出動作が完了すれば、前記第９ステップに進行する第８−９ステップと、
を含むことを特徴とする移動通信システム内３セクター基地局の送信電力自動変更方法。
【請求項２２】
前記第８−３ステップで、現在設定された任意のサブセルに各々対応されるＲＦアップコンバーターの送信減衰値がそのＲＦアップコンバーターで調節可能な送信減衰値範囲を超過すれば、前記ＢＣＰが送信減衰値変更動作を中断するというメッセージを運用者にディスプレーさせた後終了する第８−１０ステップをさらに含むことを特徴とする請求項２１に記載の移動通信システム内３セクター基地局の送信電力自動変更方法。
【請求項２３】
前記第８−７ステップで、現在設定された任意のサブセルに各々対応されるＲＦアップコンバーターの呼完了率が運用者が入力した呼完了率閾値未満であるならば、前記ＢＣＰが現在設定された任意のサブセルに各々対応されるＲＦアップコンバーターの送信減衰値を次の減衰値に各々調節した後前記第８−３ステップに進行する第８−１１ステップをさらに含むことを特徴とする請求項２１に記載の移動通信システム内３セクター基地局の送信電力自動変更方法。
【請求項２４】
前記第８−９ステップで、γ／αセクター間ソフトハンドオフに対する最適送信減衰値検出動作が完了しなければ、前記ＢＣＰがγ／αセクター間ソフトハンドオフ時、γ／αセクターで同一にサービスする多数個のＣＤＭＡチャネルの中、次の順番目のＣＤＭＡチャネルに対応されるサブセルを各々選択した後、前記第８−２ステップに進行する第８−１２ステップをさらに含むことを特徴とする請求項２１に記載の移動通信システム内３セクター基地局の送信電力自動変更方法。
【請求項２５】
基地局制御プロセッサ（ＢＣＰ）及び無線（ＲＦ）アップコンバーターを含んで、３セクターで構成された基地局（ＢＴＳ）及び管理局（ＢＳＭ）を含む移動通信システムにおける３セクター基地局送信電力自動変更方法において、
前記ＢＳＭで運用者からの送信減衰値変更命令語及び呼完了率閾値を受信する第１ステップと、
前記運用者から受信された送信減衰値変更命令語及び呼完了率閾値を前記３セクター基地局内ＢＣＰに伝送する第２ステップと、
前記ＢＣＰが３セクターの中でαセクターに属する多数個のＣＤＭＡチャネルの最適送信減衰値を全て検出した後、前記メモリに貯蔵する第３ステップと、
前記ＢＣＰが３セクターの中でβセクターに属する多数個のＣＤＭＡチャネルの最適送信減衰値を全て検出した後、前記メモリに貯蔵する第４ステップと、
前記ＢＣＰが３セクターの中でγセクターに属する多数個のＣＤＭＡチャネルの最適送信減衰値を全て検出した後、前記メモリに貯蔵する第５ステップと、
前記ＢＣＰが３セクターの中でα／βセクター間ソフトハンドオフを考慮して、α／βセクターで同一にサービスする多数個のＣＤＭＡチャネルの最適送信減衰値を全て検出した後、前記メモリに貯蔵する第６ステップと、
前記ＢＣＰが３セクターの中でβ／γセクター間ソフトハンドオフを考慮して、β／γセクターで同一にサービスする多数個のＣＤＭＡチャネルの最適送信減衰値を全て検出した後、前記メモリに貯蔵する第７ステップと、
前記ＢＣＰが３セクターの中でγ／αセクター間ソフトハンドオフを考慮して、γ／αセクターで同一にサービスする多数個のＣＤＭＡチャネルの最適送信減衰値を全て検出した後、前記メモリに貯蔵する第８ステップと、
前記ＢＣＰが前記メモリに貯蔵されたαセクター、βセクター、及びγセクターで各々サービスする多数個のＣＤＭＡチャネルに対する最適送信減衰値等とα／βセクター、β／γセクター、及びγ／αセクターハンドオフ時の各セクター別多数個のＣＤＭＡチャネルに対する最適送信減衰値を相互比較して、各セクター別にサービスする多数個のＣＤＭＡチャネルに対する最終送信減衰値を選択すると同時に該当ＲＦアップコンバーターに各々セッティングさせる第９ステップと、
を含み、
前記第９ステップは、
前記ＢＣＰがαセクターでサービスする多数個のＣＤＭＡチャネルに対する最適送信減衰値とα／βセクター、及びγ／αセクターハンドオフ時αセクターでサービスする多数個のＣＤＭＡチャネルに対する最適送信減衰値を前記メモリから読み出した後相互比較して、αセクターでサービスする多数個のＣＤＭＡチャネルに対する最終送信減衰値を選択すると同時に該当ＲＦアップコンバーターに各々セッティングさせる第９−１ステップと、
前記ＢＣＰがβセクターでサービスする多数個のＣＤＭＡチャネルに対する最適送信減衰値とα／βセクター、及びβ／γセクターハンドオフ時βセクターでサービスする多数個のＣＤＭＡチャネルに対する最適送信減衰値を前記メモリから読み出した後、相互比較して、βセクターでサービスする多数個のＣＤＭＡチャネルに対する最終送信減衰値を選択すると同時に、該当ＲＦアップコンバーターに各々セッティングさせる第９−２ステップと、
前記ＢＣＰがγセクターでサービスする多数個のＣＤＭＡチャネルに対する最適送信減衰値とβ／γセクター、及びγ／αセクターハンドオフ時、γセクターでサービスする多数個のＣＤＭＡチャネルに対する最適送信減衰値を前記メモリから読み出した後、相互比較して、γセクターでサービスする多数個のＣＤＭＡチャネルに対する最終送信減衰値を選択すると同時に、該当ＲＦアップコンバーターに各々セッティングさせる第９−３ステップと、
前記ＢＣＰがα、β、γセクターで各々サービスする多数個のＣＤＭＡチャネルに対する最終送信減衰値を前記ＢＳＭを介して運用者にディスプレーさせる第９−４ステップと、
からなることを特徴とする移動通信システム内３セクター基地局の送信電力自動変更方法。
【請求項２６】
前記第９−１ステップは、
前記ＢＣＰが前記メモリ内に貯蔵されたαセクターでサービスする多数個のＣＤＭＡチャネルの最適送信減衰値の中から任意のＣＤＭＡチャネルに該当する最適送信減衰値を読み出す第９−１−１ステップと、
前記ＢＣＰが前記メモリ内に貯蔵されたα／βセクターハンドオフ時αセクターでサービスする多数個のＣＤＭＡチャネルに対する最適送信減衰値の中から任意のＣＤＭＡチャネルに対する最適送信減衰値を読み出す第９−１−２ステップと、
前記ＢＣＰがαセクターに属する任意のＣＤＭＡチャネルに該当する最適送信減衰値とα／βセクターハンドオフ時αセクターに属する任意のＣＤＭＡチャネルに対する最適送信減衰値を相互比較して、二つの送信減衰値の中で呼完了率がより良い１つの１次最終送信減衰値を選択する第９−１−３ステップと、
前記ＢＣＰが前記メモリ内に貯蔵されたγ／αセクターハンドオフ時、αセクターでサービスする多数個のＣＤＭＡチャネルに対する最適送信減衰値から任意のＣＤＭＡチャネルに対する最適送信減衰値を読み出す第９−１−４ステップと、
前記ＢＣＰがγ／αセクターハンドオフ時、αセクターに属する任意のＣＤＭＡチャネルに対する最適送信減衰値と１次最終送信減衰値とを相互比較して、二つの送信減衰値の中で呼完了率がより良い１つの２次最終送信減衰値を選択する第９−１−５ステップと、
前記ＢＣＰがαセクターに属する任意のＣＤＭＡチャネルに対する２次最終送信減衰値を前記メモリに貯蔵させると同時に、該当ＲＦアップコンバーターにセッティングさせる第９−１−６ステップと、
前記ＢＣＰがαセクターに属する全てのＣＤＭＡチャネルに対する２次最終送信減衰値選択動作が完了したかの如何を判断して、αセクターに属する全てのＣＤＭＡチャネルに対する２次最終送信減衰値選択動作が完了すれば、前記ＢＣＰが前記第９−２ステップに進行する第９−１−７ステップと
を含むことを特徴とする請求項２５に記載の移動通信システム内３セクター基地局の送信電力自動変更方法。
【請求項２７】
前記第９−１−７ステップで、３セクターの中で、αセクターに属する全てのＣＤＭＡチャネルに対する２次最終送信減衰値選択動作が完了しなければ、前記ＢＣＰがαセクターに属するＣＤＭＡチャネルのインデックス値を１増加させた後、前記第９−１−１ステップに進行する第９−１−８ステップをさらに含むことを特徴とする請求項２６に記載の移動通信システム内３セクター基地局の送信電力自動変更方法。
【請求項２８】
前記第９−２ステップは、
前記ＢＣＰが前記メモリ内に貯蔵されたβセクターでサービスする多数個のＣＤＭＡチャネルの最適送信減衰値から任意のＣＤＭＡチャネルに該当する最適送信減衰値を読み出す第９−２−１ステップと、
前記ＢＣＰが前記メモリ内に貯蔵されたα／βセクターハンドオフ時、βセクターでサービスする多数個のＣＤＭＡチャネルに対する最適送信減衰値から任意のＣＤＭＡチャネルに対する最適送信減衰値を読み出す第９−２−２ステップと、
前記ＢＣＰがβセクターに属する任意のＣＤＭＡチャネルに該当する最適送信減衰値と、α／βセクターハンドオフ時βセクターに属する任意のＣＤＭＡチャネルに対する最適送信減衰値とを相互比較して、二つの送信減衰値の中で呼完了率がより良い一つの１次最終送信減衰値を選択する第９−２−３ステップと、
前記ＢＣＰが前記メモリ内に貯蔵されたβ／γセクターハンドオフ時βセクターでサービスする多数個のＣＤＭＡチャネルに対する最適送信減衰値から任意のＣＤＭＡチャネルに対する最適送信減衰値を読み出す第９−２−４ステップと、
前記ＢＣＰがβ／γセクターハンドオフ時、βセクターに属する任意のＣＤＭＡチャネルに対する最適送信減衰値と１次最終送信減衰値とを相互比較して、二つの送信減衰値の中で呼完了率がより良い一つの２次最終送信減衰値を選択する第９−２−５ステップと、
前記ＢＣＰがβセクターに属する任意のＣＤＭＡチャネルに対する２次最終送信減衰値を前記メモリに貯蔵させると同時に該当ＲＦアップコンバーターにセッティングさせる第９−２−６ステップと、
前記ＢＣＰがβセクターに属する全てのＣＤＭＡチャネルに対する２次最終送信減衰値選択動作が完了したかの如何を判断して、βセクターに属する全てのＣＤＭＡチャネルに対する２次最終送信減衰値選択動作が完了すれば、前記ＢＣＰが前記第９−３ステップに進行する第９−２−７ステップと
を含むことを特徴とする請求項２５に記載の移動通信システム内３セクター基地局の送信電力自動変更方法。
【請求項２９】
前記第９−２−７ステップで、３セクターの中でβセクターに属する全てのＣＤＭＡチャネルに対する２次最終送信減衰値選択動作が完了しなければ、前記ＢＣＰがβセクターに属するＣＤＭＡチャネルのインデックス値を１増加させた後、前記第９−２−１ステップに進行する第９−２−８ステップをさらに含むことを特徴とする請求項２８に記載の移動通信システム内３セクター基地局の送信電力自動変更方法。
【請求項３０】
前記第９−３ステップは、
前記ＢＣＰが前記メモリ内に貯蔵されたγセクターでサービスする多数個のＣＤＭＡチャネルの最適送信減衰値から任意のＣＤＭＡチャネルに該当する最適送信減衰値を読み出す第９−３−１ステップと、
前記ＢＣＰが前記メモリ内に貯蔵されたβ／γセクターハンドオフ時γセクターでサービスする多数個のＣＤＭＡチャネルに対する最適送信減衰値から任意のＣＤＭＡチャネルに対する最適送信減衰値を読み出す第９−３−２ステップと、
前記ＢＣＰがγセクターに属する任意のＣＤＭＡチャネルに該当する最適送信減衰値とβ／γセクターハンドオフ時γセクターに属する任意のＣＤＭＡチャネルに対する最適送信減衰値とを相互比較して、二つの送信減衰値の中で呼完了率がより良い一つの１次最終送信減衰値を選択する第９−３−３ステップと、
前記ＢＣＰが前記メモリ内に貯蔵されたγ／αセクターハンドオフ時γセクターでサービスする多数個のＣＤＭＡチャネルに対する最適送信減衰値から任意のＣＤＭＡチャネルに対する最適送信減衰値を読み出す第９−３−４ステップと、
前記ＢＣＰがγ／αセクターハンドオフ時、γセクターに属する任意のＣＤＭＡチャネルに対する最適送信減衰値と１次最終送信減衰値とを相互比較して、二つの送信減衰値の中で呼完了率がより良い一つの２次最終送信減衰値を選択する第９−３−５ステップと、
前記ＢＣＰがγセクターに属する任意のＣＤＭＡチャネルに対する２次最終送信減衰値を前記メモリに貯蔵させると同時に、該当ＲＦアップコンバーターにセッティングさせる第９−３−６ステップと、
前記ＢＣＰがγセクターに属する全てのＣＤＭＡチャネルに対する２次最終送信減衰値選択動作が完了したかの如何を判断して、γセクターに属する全てのＣＤＭＡチャネルに対する２次最終送信減衰値選択動作が完了すれば、前記ＢＣＰが前記第９−４ステップに進行する第９−３−７ステップと
を含むことを特徴とする請求項２５に記載の移動通信システム内３セクター基地局の送信電力自動変更方法。
【請求項３１】
前記第９−３−７ステップで、３セクターの中でγセクターに属する全てのＣＤＭＡチャネルに対する２次最終送信減衰値選択動作が完了しなければ、前記ＢＣＰがγセクターに属するＣＤＭＡチャネルのインデックス値を１増加させた後、前記第９−３−１ステップに進行する第９−３−８ステップをさらに含むことを特徴とする請求項３０に記載の移動通信システム内３セクター基地局の送信電力自動変更方法。
【発明の詳細な説明】
【０００１】
【発明の属する技術分野】
本発明は、移動通信システム内３セクター（Three Sector）基地局の送信電力自動変更方法に関し、より詳細には、３セクター基地局で各セクター別にサービスする多数個のＣＤＭＡ（Code Division Multiple Access）チャネルの最適送信減衰値を自動に全て検出した後、該当無線周波数アップコンバーター（Radio Frequency Up-converter、以下、ＲＦアップ−コンバーターという）に自動に各々セッティング（Setting）させる移動通信システム内３セクター基地局の送信電力自動変更方法に関する。
【０００２】
【従来の技術】
移動通信システムにおける３セクター３チャネル基地局は、図１に示すように、α、β、γセクター別に各々多数（ｎ）個のＣＤＭＡチャネルをサービスし得るが、この場合、１つのセクター内に存在する１つのＣＤＭＡチャネルをサブセル（Ｓｕｂｃｅｌｌ）という。したがって、３セクター基地局が各々３個のＣＤＭＡチャネルをサービスすれば、サブセルは全て９個となる。したがって、多数個のサブセルは、全て各々１つずつのＣＤＭＡチャネルを有することができ、前記３セクター基地局内に装着されたＲＦアップコンバーターの個数はサブセル個数と同一である。
【０００３】
従来には、運用者が移動通信システムにおける３セクター基地局の送信減衰値を抽出しようとする場合、セルプラン（ＣＥＬＬ−ＰＬＡＮ）装備を直接所持して３セクター基地局まで移動した後、そのセルプラン装備を利用して３セクター基地局内に装着された多数個のアップコンバーター送信制御値である送信減衰値をいちいち手動でチェックした。そうしてから、運用者は、上記のように抽出した送信減衰値リストをいちいち目で確認しながら最適の送信減衰値を探し、以後その最適の送信減衰値を３セクター基地局内多数個のアップコンバーターに各々セッティングさせた。
【０００４】
【発明が解決しようとする課題】
しかしながら、上述したような従来の３セクター基地局の送信電力変更方法は、送信減衰値抽出動作から最適送信減衰値セッティング動作までの全ての動作を運用者がいちいち手動で作業しなければならない故に、点検及びセッティング時間が長くかかるとともに不便であった。また、前記セルプラン装備が高価である故に、送信減衰値点検時費用がたくさんかかるという問題点があった。
【０００５】
本発明は、このような問題に鑑みてなされたもので、その目的とするところは、３セクター基地局内ＲＦアップコンバーターの送信減衰パラメーターを自動に最適の減衰値に各々セッティングさせるための移動通信システム内３セクター基地局の送信電力自動変更方法を提供することにある。
【０００６】
【課題を解決するための手段】
本発明は、このような目的を達成するために、本発明移動通信システム内３セクター基地局の送信電力自動変更方法は、基地局制御プロセッサ（ＢＣＰ）及び無線（ＲＦ）アップコンバーターを含んで、３セクターで構成された基地局（ＢＴＳ）及び管理局（ＢＳＭ）を含む移動通信システムにおける３セクター基地局送信電力自動変更方法において、前記ＢＳＭで運用者からの送信減衰値変更命令語及び呼完了率閾値を受信する第１ステップと、前記運用者から受信された送信減衰値変更命令語及び呼完了率閾値を前記３セクター基地局内ＢＣＰに伝送する第２ステップと、前記ＢＣＰが３セクターの中でαセクターに属する多数個のＣＤＭＡチャネルの最適送信減衰値を全て検出した後、前記メモリに貯蔵する第３ステップと、前記ＢＣＰが３セクターの中でβセクターに属する多数個のＣＤＭＡチャネルの最適送信減衰値を全て検出した後、前記メモリに貯蔵する第４ステップと、前記ＢＣＰが３セクターの中でγセクターに属する多数個のＣＤＭＡチャネルの最適送信減衰値を全て検出した後、前記メモリに貯蔵する第５ステップと、前記ＢＣＰが３セクターの中でα／βセクター間ソフトハンドオフを考慮して、α／βセクターで同一にサービスする多数個のＣＤＭＡチャネルの最適送信減衰値を全て検出した後、前記メモリに貯蔵する第６ステップと、前記ＢＣＰが３セクターの中でβ／γセクター間ソフトハンドオフを考慮して、β／γセクターで同一にサービスする多数個のＣＤＭＡチャネルの最適送信減衰値を全て検出した後、前記メモリに貯蔵する第７ステップと、前記ＢＣＰが３セクターの中でγ／αセクター間ソフトハンドオフを考慮して、γ／αセクターで同一にサービスする多数個のＣＤＭＡチャネルの最適送信減衰値を全て検出した後、前記メモリに貯蔵する第８ステップと、前記ＢＣＰが前記メモリに貯蔵されたαセクター、βセクター、及びγセクターで各々サービスする多数個のＣＤＭＡチャネルに対する最適送信減衰値等とα／βセクター、β／γセクター、及びγ／αセクターハンドオフ時の各セクター別多数個のＣＤＭＡチャネルに対する最適送信減衰値を相互比較して、各セクター別にサービスする多数個のＣＤＭＡチャネルに対する最終送信減衰値を選択すると同時に該当ＲＦアップコンバーターに各々セッティングさせる第９ステップとを含む。
【０００７】
【発明の実施の形態】
以下、図面を参照して本発明の実施例について説明する。
図２は、本発明の一実施例に係る移動通信システム内３セクター基地局の送信電力自動変更装置を示した機能ブロック図で、本発明の一実施例に係る移動通信システム内３セクター基地局の送信電力自動変更装置は、管理局（Base Station Manager：以下、ＢＳＭという）１００と、制御局プロセッサ（Base station Control Processor：以下、ＢＣＰという）２０２と、サブセル個数ほどのＲＦアップコンバーター２０４と、メモリ２０６を備えた３セクター基地局２００とを含む。
【０００８】
前記ＢＭＳ１００は、制御局及び基地局を管理するシステムとして、運用者が前記３セクター基地局２００の送信電力を最適の送信電力に変更させるために、これに相応する送信減衰値変更命令語及び呼完了率閾値を入力すれば、その送信減衰値変更命令語及び呼完了率閾値を前記３セクター基地局２００内に装着されたＢＣＰ２０２に伝送する役割をする。
【０００９】
また、前記３セクター基地局２００内に装着されたＢＣＰ２０２は、前記ＢＳＭ１００から送信減衰値変更命令語及び呼完了率閾値を受信すれば、自分が属している３セクター基地局２００の各セクター別ＣＤＭＡチャネルに対する最適送信減衰値を各々検出すると同時に、その多数個の最適送信減衰値を該当ＲＦアップコンバーター２０４にセッティングさせ、以後各セクター別ＣＤＭＡチャネルに対する最適送信減衰値を前記メモリ２０６に貯蔵させると同時に、運用者にディスプレー（Display）させる役割をする。
【００１０】
一方、前記３セクター基地局２００内に装着されたＲＦアップコンバーター２０４は、前記ＢＣＰ２０２でセッティングさせた送信減衰値により自分が属する３セクター基地局２００の送信出力を制御する役割をする。
【００１１】
また、前記３セクター基地局２００内に装着されたメモリ２０６は、３セクターの中で、α、β、γセクター別多数個のサブセルに対する最終送信減衰値を貯蔵するメモリである。そこで、前記のような構成を有する移動通信システム内３セクター基地局の送信電力自動変更装置を利用した本発明の一実施例に係る移動通信システム内３セクター基地局の送信電力自動変更方法について説明する。
【００１２】
図３は、本発明の一実施例に係る移動通信システム内３セクター基地局の送信電力自動変更方法を示すフローチャートである。
まず、運用者は、前記３セクター基地局２００の送信電力を最適の送信電力に変更させるために、これに相応する送信減衰値変更命令語及び呼完了率閾値を前記ＢＳＭ１００に入力する（ステップＳ３０１）。次いで、前記ＢＳＭ１００は、運用者から受信された送信減衰値変更命令語及び呼完了率閾値を前記３セクター基地局２００内に装着されたＢＣＰ２０２に伝送する（ステップＳ３０３）。次いで、前記ＢＣＰ２０２は、前記ＢＳＭ１００から出力した送信減衰値変更命令語及び呼完了率閾値を入力された後、３セクターの中でαセクターに属する多数個のＣＤＭＡチャネルの最適送信減衰値を全て検出した後、前記メモリ２０６に貯蔵する（ステップＳ３０５）。
【００１３】
図４は、上述した第３ステップＳ３０５の細部動作を説明するための図である。まず、前記ＢＣＰ２０２は、３セクターの中でαセクターに属する多数個のＣＤＭＡチャネルの中、任意のＣＤＭＡチャネルに対応されるサブセル１つを選択する（ステップＳ４０１）。次いで、前記ＢＣＰ２０２は、その任意のサブセルに対応されるＲＦアップコンバーター２０４の送信減衰値を初期値である０に設定する（ステップＳ４０３）。
【００１４】
次いで、前記ＢＣＰ２０２は、現在設定された任意のサブセルに対応されるＲＦアップコンバーター２０４の送信減衰値がそのＲＦアップコンバーター２０４で調節可能な送信減衰値範囲を超過したかの如何を判断する（ステップＳ４０５）。参考に、前記３セクター基地局２００内に装着された全てのＲＦアップコンバーター２０４は、送信減衰値調節範囲を有しており、その送信減衰値調節範囲内のみで送信減衰の調節が可能である。
【００１５】
この場合、前記ステップＳ４０５で現在設定された任意のサブセルに対応されるＲＦアップコンバーター２０４の送信減衰値がそのＲＦアップコンバーター２０４で調節可能な送信減衰値範囲を超過しなければ、前記ＢＣＰ２０２は、現在設定された任意のサブセルに対応されるＲＦアップコンバーター２０４を制御して、端末器１にフェ−ジング信号を伝送する（ステップＳ４０７）。
次いで、前記ＢＣＰ２１０は、端末器１からのフェ−ジング応答信号が受信されたかの如何を判断する（ステップＳ４０９）。
【００１６】
前記ステップＳ４０９で、フェ−ジング応答信号が受信されなければ、前記ＢＣＰ２１０は、再び前記ステップＳ４０９に進行し、フェ−ジング応答信号が受信されれば、前記ＢＣＰ２０２は、そのフェ−ジング応答信号の送信電力を検出すると同時に、その送信電力の送信減衰値に対する呼完了率を算出する（ステップＳ４１１）。
【００１７】
次いで、前記ＢＣＰ２０２は、現在設定された任意のサブセルに対応されるＲＦアップコンバーター２０４の呼完了率が運用者が入力した呼完了率閾値以上であるかの如何を判断する（ステップＳ４１３）。この場合、前記ステップＳ４１３で、現在設定された任意のサブセルに対応されるＲＦアップコンバーター２０４の呼完了率が運用者が入力した呼完了率閾値以上であるならば、前記ＢＣＰ２０２は、現在設定された任意のＲＦアップコンバーター２０４にセッティングされた送信減衰値を前記メモリ２０６に貯蔵する（ステップＳ４１５）。
【００１８】
次いで、前記ＢＣＰ２０２は、３セクターの中でαセクターに属する全てのＣＤＭＡチャネルに対する最適送信減衰値検出動作が完了したかの如何を判断して（ステップＳ４１７）、αセクターに属する全てのＣＤＭＡチャネルに対する最適送信減衰値検出動作が完了すれば、前記ステップＳ３０７に進行する。
【００１９】
それに対し、前記ステップＳ４０５で、現在設定された任意のサブセルに対応されるＲＦアップコンバーター２０４の送信減衰値がそのＲＦアップコンバーター２０４で調節可能な送信減衰値範囲を超過すれば、前記ＢＣＰ２０２は、送信減衰値変更動作を中断するというメッセージを前記ＢＳＭ１００を介して運用者にディスプレーさせた後終了する（ステップＳ４１９）。
【００２０】
また、前記ステップＳ４１３で、現在設定された任意のサブセルに対応されるＲＦアップコンバーター２０４の呼完了率が運用者が入力した呼完了率閾値未満であるならば、前記ＢＣＰ２０２は、現在設定された任意のサブセルに対応されるＲＦアップコンバーター２０４の送信減衰値を次の減衰値に調節した後、前記ステップＳ４０５に進行する（ステップＳ４２１）。
【００２１】
一方、前記ステップＳ４１７で、αセクターに属する全てのＣＤＭＡチャネルに対する最適送信減衰値検出動作が完了しなければ、前記ＢＣＰ２０２は、αセクターに属する多数個のＣＤＭＡチャネルの中で次の順番目のＣＤＭＡチャネルに対応されるサブセルを選択した後、前記ステップＳ４０３に進行する（ステップＳ４２３）。また、前記ステップＳ３０５以後、前記ＢＣＰ２０２は、３セクターの中でβセクターに属する多数個のＣＤＭＡチャネルの最適送信減衰値を全て検出した後、前記メモリ２０６に貯蔵する（ステップＳ３０７）。
【００２２】
図５は、上述したステップＳ３０７の細部過程について説明するための図である。
まず、前記ＢＣＰ２０２は、３セクターの中でβセクターに属する多数個のＣＤＭＡチャネルの中、任意のＣＤＭＡチャネルに対応されるサブセル１つを選択する（ステップＳ５０１）。次いで、前記ＢＣＰ２０２は、その任意のサブセルに対応されるＲＦアップコンバーター２０４の送信減衰値を初期値である０に設定する（ステップＳ５０３）。次いで、前記ＢＣＰ２０２は、現在設定された任意のサブセルに対応されるＲＦアップコンバーター２０４の送信減衰値がそのＲＦアップコンバーター２０４で調節可能な送信減衰値範囲を超過したかの如何を判断する（ステップＳ５０５）。
【００２３】
この場合、前記ステップＳ５０５で、現在設定された任意のサブセルに対応されるＲＦアップコンバーター２０４の送信減衰値がそのＲＦアップコンバーター２０４で調節可能な送信減衰値範囲内であるならば、前記ＢＣＰ２０２は、現在設定された任意のサブセルに対応されるＲＦアップコンバーター２０４を制御して端末器１００にフェ−ジング信号を伝送する（ステップＳ５０７）。次いで、前記ＢＣＰ２１０は、端末器１００からのフェ−ジング応答信号が受信されたかの如何を判断する（ステップＳ５０９）。
【００２４】
前記ステップＳ５０９で、フェ−ジング応答信号が受信されなければ、前記ＢＣＰ２１０は、再び前記ステップＳ５０９に進行し、フェ−ジング応答信号が受信されれば、前記ＢＣＰ２０２は、そのフェ−ジング応答信号の送信電力を検出すると同時に、その送信電力の送信減衰値に対する呼完了率を算出する（ステップＳ５１１）。
【００２５】
次いで、前記ＢＣＰ２０２は、現在設定された任意のサブセルに対応されるＲＦアップコンバーター２０４の呼完了率が運用者が入力した呼完了率閾値以上であるかの如何を判断する（ステップＳ５１３）。
【００２６】
この場合、前記ステップＳ５１３で、現在設定された任意のサブセルに対応されるＲＦアップコンバーター２０４の呼完了率が運用者が入力した呼完了率閾値以上であるならば、前記ＢＣＰ２０２は、現在設定された任意のＲＦアップコンバーター２０４にセッティングされた送信減衰値を前記メモリ２０６に貯蔵する（ステップＳ５１５）。
【００２７】
次いで、前記ＢＣＰ２０２は、３セクターの中でβセクターに属する全てのＣＤＭＡチャネルに対する最適送信減衰値検出動作が完了したかの如何を判断して（ステップＳ５１７）、βセクターに属する全てのＣＤＭＡチャネルに対する最適送信減衰値検出動作が完了すれば、前記ステップＳ３０９に進行する。
【００２８】
それに対し、前記ステップＳ５０５で、現在設定された任意のサブセルに対応されるＲＦアップコンバーター２０４の送信減衰値がそのＲＦアップコンバーター２０４で調節可能な送信減衰値範囲を超過すれば、前記ＢＣＰ２０２は、送信減衰値変更動作を中断するというメッセージを前記ＢＳＭ１００を介して運用者にディスプレーさせた後終了する（ステップＳ５１９）。
【００２９】
また、前記ステップＳ５１３で、現在設定された任意のサブセルに対応されるＲＦアップコンバーター２０４の呼完了率が運用者が入力した呼完了率閾値未満であるならば、前記ＢＣＰ２０２は、現在設定された任意のサブセルに対応されるＲＦアップコンバーター２０４の送信減衰値を次の減衰値に調節した後、前記ステップＳ５０５に進行する（ステップＳ５２１）。
【００３０】
一方、前記ステップＳ５１７で、βセクターに属する全てのＣＤＭＡチャネルに対する最適送信減衰値検出動作が完了しなければ、前記ＢＣＰ２０２は、βセクターに属する多数個のＣＤＭＡチャネルの中で次のＣＤＭＡチャネルに対応されるサブセルを選択した後、前記ステップＳ５０３に進行する（ステップＳ５２３）。また、前記ステップＳ３０７以後、前記ＢＣＰ２０２は、３セクターの中でγセクターに属する多数個のＣＤＭＡチャネルの最適送信減衰値を全て検出した後、前記メモリ２０６に貯蔵する（ステップＳ３０９）。
【００３１】
図６は、上述したステップＳ３０９の細部過程について説明するための図６である。
まず、前記ＢＣＰ２０２は、３セクターの中でγセクターに属する多数個のＣＤＭＡチャネルの中、任意のＣＤＭＡチャネルに対応されるサブセル１つを選択する（ステップＳ６０１）。次いで、前記ＢＣＰ２０２は、その任意のサブセルに対応されるＲＦアップコンバーター２０４の送信減衰値を初期値である０に設定する（ステップＳ６０３）。次いで、前記ＢＣＰ２０２は、現在設定された任意のサブセルに対応されるＲＦアップコンバーター２０４の送信減衰値がそのＲＦアップコンバーター２０４で調節可能な送信減衰値範囲を超過したかの如何を判断する（ステップＳ６０５）。
【００３２】
この場合、前記ステップＳ６０５で、現在設定された任意のサブセルに対応されるＲＦアップコンバーター２０４の送信減衰値がそのＲＦアップコンバーター２０４で調節可能な送信減衰値範囲を超過しなければ、前記ＢＣＰ２０２は、現在設定された任意のサブセルに対応されるＲＦアップコンバーター２０４を制御して端末器１００にフェ−ジング信号を伝送する（ステップＳ６０７）。次いで、前記ＢＣＰ２１０は、端末器１００からのフェ−ジング応答信号が受信されたかの如何を判断する（ステップＳ６０９）。
【００３３】
前記ステップＳ６０９で、フェ−ジング応答信号が受信されなければ、前記ＢＣＰ２１０は、再び前記ステップＳ６０９に進行し、フェ−ジング応答信号が受信されれば、前記ＢＣＰ２０２は、そのフェ−ジング応答信号の送信電力を検出すると同時に、その送信電力の送信減衰値に対する呼完了率を算出する（ステップＳ６１１）。
【００３４】
次いで、前記ＢＣＰ２０２は、現在設定された任意のサブセルに対応されるＲＦアップコンバーター２０４の呼完了率が運用者が入力した呼完了率閾値以上であるかの如何を判断する（ステップＳ６１３）。
【００３５】
この場合、前記ステップＳ６１３で、現在設定された任意のサブセルに対応されるＲＦアップコンバーター２０４の呼完了率が運用者が入力した呼完了率閾値以上であるならば、前記ＢＣＰ２０２は、現在設定された任意のＲＦアップコンバーター２０４にセッティングされた送信減衰値を前記メモリ２０６に貯蔵する（ステップＳ６１５）。
【００３６】
次いで、前記ＢＣＰ２０２は、３セクターの中でγセクターに属する全てのＣＤＭＡチャネルに対する最適送信減衰値検出動作が完了したかの如何を判断して（ステップＳ６１７）、γセクターに属する全てのＣＤＭＡチャネルに対する最適送信減衰値
検出動作が完了すれば、前記ステップＳ３１１に進行する。
【００３７】
それに対し、前記ステップＳ６０５で、現在設定された任意のサブセルに対応されるＲＦアップコンバーター２０４の送信減衰値がそのＲＦアップコンバーター２０４で調節可能な送信減衰値範囲を超過すれば、前記ＢＣＰ２０２は、送信減衰値変更動作を中断するというメッセージを前記ＢＳＭ１００を介して運用者にディスプレーさせた後終了する（ステップＳ６１９）。
【００３８】
また、前記ステップＳ６１３で、現在設定された任意のサブセルに対応されるＲＦアップコンバーター２０４の呼完了率が運用者が入力した呼完了率閾値未満であるならば、前記ＢＣＰ２０２は、現在設定された任意のサブセルに対応されるＲＦアップコンバーター２０４の送信減衰値を次の減衰値に調節した後、前記ステップＳ６０５に進行する（ステップＳ６２１）。
【００３９】
一方、前記ステップＳ６１７で、γセクターに属する全てのＣＤＭＡチャネルに対する最適送信減衰値検出動作が完了しなければ、前記ＢＣＰ２０２は、γセクターに属する多数個のＣＤＭＡチャネルの中から次のＣＤＭＡチャネルに対応されるサブセルを選択した後、前記ステップＳ６０３に進行する（ステップＳ６２３）。
【００４０】
また、前記ステップＳ３０９以後、前記ＢＣＰ２０２は、３セクターの中で、
α／βセクター間ソフトハンドオフを考慮して、α／βセクターで同一にサービスする多数個のＣＤＭＡチャネルの最適送信減衰値を全て検出した後、前記メモリ２０６に貯蔵する（ステップＳ３１１）。
【００４１】
図７は、上述したステップＳ３１１の細部動作について説明するための図７である。
まず、前記ＢＣＰ２０２は、α／βセクター間ソフトハンドオフ時、α／βセクターで同一にサービスする多数個のＣＤＭＡチャネルの中、任意のＣＤＭＡチャネルに対応されるサブセルを各々選択する（ステップＳ７０１）。次いで、前記ＢＣＰ２０２は、α／βセクター内任意のサブセルに各々対応されるＲＦアップコンバーター２０４の送信減衰値を初期値である０に同一に設定する（ステップＳ７０３）。
【００４２】
次いで、前記ＢＣＰ２０２は、現在設定されたα／βセクター内任意のサブセルに各々対応されるＲＦアップコンバーター２０４の送信減衰値がそのＲＦアップコンバーター２０４で調節可能な送信減衰値範囲を超過したかの如何を判断する（ステップＳ７０５）。
【００４３】
この場合、前記ステップＳ７０５で、現在設定された任意のサブセルに各々対応されるＲＦアップコンバーター２０４の送信減衰値がそのＲＦアップコンバーター２０４で調節可能な送信減衰値範囲を超過しなければ、前記ＢＣＰ２０２は、現在設定された任意のサブセルに各々対応されるＲＦアップコンバーター２０４を制御して該当端末器１００に各々フェ−ジング信号を伝送する（ステップＳ７０７）。次いで、前記ＢＣＰ２０２は、該当端末器１００からのフェ−ジング応答信号が全て受信されたかの如何を判断する（ステップＳ７０９）。
【００４４】
前記ステップＳ７０９で、該当端末器１００からフェ−ジング応答信号が全て受信されなければ、前記ＢＣＰ２０２は、再び前記ステップＳ７０９に進行し、該当端末器１００からのフェ−ジング応答信号が全て受信されれば、前記ＢＣＰ２０２は、そのフェ−ジング応答信号の送信電力を検出すると同時に、その送信電力の送信減衰値に対する呼完了率を各々算出する（ステップＳ７１１）。
【００４５】
次いで、前記ＢＣＰ２０２は、現在設定された任意のサブセルに各々対応されるＲＦアップコンバーター２０４の呼完了率が運用者が入力した呼完了率閾値以上であるかの如何を判断する（ステップＳ７１３）。
【００４６】
この場合、前記ステップＳ７１３で、現在設定された任意のサブセルに各々対応されるＲＦアップコンバーター２０４の呼完了率が運用者が入力した呼完了率閾値以上であるならば、前記ＢＣＰ２０２は、現在設定された任意のＲＦアップコンバーター２０４にセッティングされた送信減衰値を各々前記メモリ２０６に貯蔵する（ステップＳ７１５）。
【００４７】
次いで、前記ＢＣＰ２０２は、α／βセクター間ソフトハンドオフに対する最適送信減衰値検出動作が完了したかの如何を判断してＳ７１７、α／βセクター間ソフトハンドオフに対する最適送信減衰値検出動作が完了すれば、前記ステップＳ３１３に進行する（ステップＳ７１７）。
【００４８】
それに対し、前記ステップＳ７０５で、現在設定された任意のサブセルに各々対応されるＲＦアップコンバーター２０４の送信減衰値がそのＲＦアップコンバーター２０４で調節可能な送信減衰値範囲を超過すれば、前記ＢＣＰ２０２は、送信減衰値変更動作を中断するというメッセージを前記ＢＳＭ１００を介して運用者にディスプレーさせた後終了する（ステップＳ７１９）。
【００４９】
また、前記ステップＳ７１３で、現在設定された任意のサブセルに各々対応されるＲＦアップコンバーター２０４の呼完了率が運用者が入力した呼完了率閾値未満であるならば、前記ＢＣＰ２０２は、現在設定された任意のサブセルに各々対応されるＲＦアップコンバーター２０４の送信減衰値を次の減衰値に各々調節した後、前記ステップＳ７０５に進行する（ステップＳ７２１）。
【００５０】
一方、前記ステップＳ７１７で、α／βセクター間ソフトハンドオフに対する最適送信減衰値検出動作が完了しなければ、前記ＢＣＰ２０２は、α／βセクター間ソフトハンドオフ時α／βセクターで同一にサービスする多数個のＣＤＭＡチャネルの中で次のＣＤＭＡチャネルに対応されるサブセルを各々選択した後、前記ステップＳ７０３に進行する（ステップＳ７２３）。
【００５１】
また、前記ステップＳ３１１以後、前記ＢＣＰ２０２は、３セクターの中で、
β／γセクター間ソフトハンドオフを考慮して、β／γセクターで同一にサービスする多数個のＣＤＭＡチャネルの最適送信減衰値を全て検出した後、前記メモリ２０６に貯蔵する（ステップＳ３１３）。
【００５２】
図８は、上述したステップＳ３１３の細部動作について説明するための図８である。
まず、前記ＢＣＰ２０２は、β／γセクター間ソフトハンドオフ時、β／γセクターで同一にサービスする多数個のＣＤＭＡチャネルの中、任意のＣＤＭＡチャネルに対応されるサブセルを各々選択する（ステップＳ８０１）。次いで、前記ＢＣＰ２０２は、β／γセクター内任意のサブセルに各々対応されるＲＦアップコンバーター２０４の送信減衰値を初期値である０に同一に設定する（ステップＳ８０３）。
【００５３】
次いで、前記ＢＣＰ２０２は、現在設定されたβ／γセクター内任意のサブセルに各々対応されるＲＦアップコンバーター２０４の送信減衰値がそのＲＦアップコンバーター２０４で調節可能な送信減衰値範囲を超過したかの如何を判断する（ステップＳ８０５）。
【００５４】
この場合、前記ステップＳ８０５で、現在設定された任意のサブセルに各々対応されるＲＦアップコンバーター２０４の送信減衰値がそのＲＦアップコンバーター２０４で調節可能な送信減衰値範囲を超過しなければ、前記ＢＣＰ２０２は、現在設定された任意のサブセルに各々対応されるＲＦアップコンバーター２０４を制御して該当端末器１００に各々フェ−ジング信号を伝送する（ステップＳ８０７）。次いで、前記ＢＣＰ２０２は、該当端末器１００からのフェ−ジング応答信号が全て受信されたかの如何を判断する（ステップＳ８０９）。
【００５５】
前記ステップＳ８０９で、該当端末器１００からのフェ−ジング応答信号が全て受信されなければ、前記ＢＣＰ２０２は、再び前記ステップＳ８０９に進行する一方、該当端末器１００からのフェ−ジング応答信号が全て受信されれば、前記ＢＣＰ２０２は、そのフェ−ジング応答信号の送信電力を検出すると同時に、その送信電力の送信減衰値に対する呼完了率を各々算出する（ステップＳ８１１）。
【００５６】
次いで、前記ＢＣＰ２０２は、現在設定された任意のサブセルに各々対応されるＲＦアップコンバーター２０４の呼完了率が運用者が入力した呼完了率閾値以上であるかの如何を判断する（ステップＳ８１３）。
【００５７】
この場合、前記ステップＳ８１３で、現在設定された任意のサブセルに各々対応されるＲＦアップコンバーター２０４の呼完了率が運用者が入力した呼完了率閾値以上であるならば、前記ＢＣＰ２０２は、現在設定された任意のＲＦアップコンバーター２０４にセッティングされた送信減衰値を各々前記メモリ２０６に貯蔵する（ステップＳ８１５）。
【００５８】
次いで、前記ＢＣＰ２０２は、β／γセクター間ソフトハンドオフに対する最適送信減衰値検出動作が完了したかの如何を判断してＳ８１７、β／γセクター間ソフトハンドオフに対する最適送信減衰値検出動作が完了すれば、前記ステップＳ３１５に進行する（ステップＳ８１７）。
【００５９】
それに対し、前記ステップＳ８０５で、現在設定された任意のサブセルに各々対応されるＲＦアップコンバーター２０４の送信減衰値がそのＲＦアップコンバーター２０４で調節可能な送信減衰値範囲を超過すれば、前記ＢＣＰ２０２は、送信減衰値変更動作を中断するというメッセージを前記ＢＳＭ１００を介して運用者にディスプレーさせた後終了する（ステップＳ８１９）。
【００６０】
また、前記ステップＳ８１３で、現在設定された任意のサブセルに各々対応されるＲＦアップコンバーター２０４の呼完了率が運用者が入力した呼完了率閾値未満であるならば、前記ＢＣＰ２０２は、現在設定された任意のサブセルに各々対応されるＲＦアップコンバーター２０４の送信減衰値を次の減衰値に各々調節した後、前記ステップＳ８０５に進行する（ステップＳ８２１）。
【００６１】
一方、前記ステップＳ８１７で、β／γセクター間ソフトハンドオフに対する最適送信減衰値検出動作が完了しなければ、前記ＢＣＰ２０２は、β／γセクター間ソフトハンドオフ時、β／γセクターで同一にサービスする多数個のＣＤＭＡチャネルの中で次のＣＤＭＡチャネルに対応されるサブセルを各々選択した後、前記ステップＳ８０３に進行する（ステップＳ８２３）。
【００６２】
また、前記ステップＳ３１３以後、前記ＢＣＰ２０２は、３セクター中で、γ／αセクター間ソフトハンドオフを考慮して、γ／αセクターで同一にサービスする多数個のＣＤＭＡチャネルの最適送信減衰値を全て検出した後、前記メモリ２０６に貯蔵する（ステップＳ３１５）。
【００６３】
図９は、上述したステップＳ３１５の細部動作について説明するための図９である。
まず、前記ＢＣＰ２０２は、γ／αセクター間ソフトハンドオフ時、γ／αセクターで同一にサービスする多数個のＣＤＭＡチャネルの中、任意のＣＤＭＡチャネルに対応されるサブセルを各々選択するＳ９０１。次いで、前記ＢＣＰ２０２は、γ／αセクター内任意のサブセルに各々対応されるＲＦアップコンバーター２０４の送信減衰値を初期値である０に同一に設定する（ステップＳ９０３）。
【００６４】
次いで、前記ＢＣＰ２０２は、現在設定されたγ／αセクター内任意のサブセルに各々対応されるＲＦアップコンバーター２０４の送信減衰値がそのＲＦアップコンバーター２０４で調節可能な送信減衰値範囲を超過したかの如何を判断する（ステップＳ９０５）。
【００６５】
この場合、前記ステップＳ９０５で現在設定された任意のサブセルに各々対応されるＲＦアップコンバーター２０４の送信減衰値がそのＲＦアップコンバーター２０４で調節可能な送信減衰値範囲を超過しなければ、前記ＢＣＰ２０２は、現在設定された任意のサブセルに各々対応されるＲＦアップコンバーター２０４を制御して該当端末器１００に各々フェ−ジング信号を伝送する（ステップＳ９０７）。次いで、前記ＢＣＰ２０２は、該当端末器１００からのフェ−ジング応答信号が全て受信されたかの如何を判断する（ステップＳ９０９）。
【００６６】
前記ステップＳ９０９で、該当端末器１００からのフェ−ジング応答信号が全て受信されなければ、前記ＢＣＰ２０２は、再び前記ステップＳ９０９に進行し、該当端末器１００からのフェ−ジング応答信号が全て受信されれば、前記ＢＣＰ２０２は、そのフェ−ジング応答信号の送信電力を検出すると同時に、その送信電力の送信減衰値に対する呼完了率を各々算出する（ステップＳ９１１）。
【００６７】
次いで、前記ＢＣＰ２０２は、現在設定された任意のサブセルに各々対応されるＲＦアップコンバーター２０４の呼完了率が運用者が入力した呼完了率閾値以上であるかの如何を判断する（ステップＳ９１３）。
【００６８】
この場合、前記ステップＳ９１３で、現在設定された任意のサブセルに各々対応されるＲＦアップコンバーター２０４の呼完了率が運用者が入力した呼完了率閾値以上であるならば、前記ＢＣＰ２０２は、現在設定された任意のＲＦアップコンバーター２０４にセッティングされた送信減衰値を各々前記メモリ２０６に貯蔵する（ステップＳ９１５）。
【００６９】
次いで、前記ＢＣＰ２０２は、γ／αセクター間ソフトハンドオフに対する最適送信減衰値検出動作が完了したかの如何を判断してＳ９１７、γ／αセクター間ソフトハンドオフに対する最適送信減衰値検出動作が完了すれば、前記ステップＳ３１７に進行する（ステップＳ９１７）。
【００７０】
それに対し、前記ステップＳ９０５で、現在設定された任意のサブセルに各々対応されるＲＦアップコンバーター２０４の送信減衰値がそのＲＦアップコンバーター２０４で調節可能な送信減衰値範囲を超過すれば、前記ＢＣＰ２０２は、送信減衰値変更動作を中断するというメッセージを前記ＢＳＭ１００を介して運用者にディスプレーさせた後終了する（ステップＳ９１９）。
【００７１】
また、前記ステップＳ９１３で、現在設定された任意のサブセルに各々対応されるＲＦアップコンバーター２０４の呼完了率が運用者が入力した呼完了率閾値未満であるならば、前記ＢＣＰ２０２は、現在設定された任意のサブセルに各々対応されるＲＦアップコンバーター２０４の送信減衰値を次の減衰値に各々調節した後、前記ステップＳ９０５に進行する（ステップＳ９２１）。
【００７２】
一方、前記ステップＳ９１７で、γ／αセクター間ソフトハンドオフに対する最適送信減衰値検出動作が完了しなければ、前記ＢＣＰ２０２は、γ／αセクター間ソフトハンドオフ時γ／αセクターで同一にサービスする多数個のＣＤＭＡチャネルの中で次のＣＤＭＡチャネルに対応されるサブセルを各々選択した後前記ステップＳ９０５に進行する（ステップＳ９２３）。
【００７３】
次いで、前記ＢＣＰ２０２は、前記メモリ２０６に貯蔵されたαセクター、βセクター、及びγセクターで各々サービスする多数個のＣＤＭＡチャネルに対する最適送信減衰値とα／βセクター、β／γセクター、及びγ／αセクターハンドオフ時の各セクター別多数個のＣＤＭＡチャネルに対する最適送信減衰値を相互比較して、各セクター別にサービスする多数個のＣＤＭＡチャネルに対する最終送信減衰値を選択すると同時に、該当ＲＦアップコンバーター２０４に各々セッティングさせる（ステップＳ３１７）。
【００７４】
図１０は、上述したステップＳ３１７の細部動作について説明するための図である。
まず、前記ＢＣＰ２０２は、αセクターでサービスする多数個のＣＤＭＡチャネルに対する最適送信減衰値と、α／βセクター、及びγ／αセクターハンドオフ時αセクターでサービスする多数個のＣＤＭＡチャネルに対する最適送信減衰値を前記メモリ２０６から読み出した後相互比較して、αセクターでサービスする多数個のＣＤＭＡチャネルに対する最終送信減衰値を選択すると同時に、該当ＲＦアップコンバーター２０４に各々セッティングさせる（ステップＳ１００１）。
【００７５】
ここで、上述したステップＳ１００１は、図１１に示すように、ステップＳ１１０１からステップＳ１１１５の細部ステップからなり、これを説明すれば、以下の通りである。
【００７６】
前記ＢＣＰ２０２は、前記メモリ２０６内に貯蔵されたαセクターでサービスする多数個のＣＤＭＡチャネルの最適送信減衰値から任意のＣＤＭＡチャネルに該当する最適送信減衰値を読み出す（ステップＳ１１０１）。次いで、前記ＢＣＰ２０２は、前記メモリ２０６内に貯蔵されたα／βセクターハンドオフ時、αセクターでサービスする多数個のＣＤＭＡチャネルに対する最適送信減衰値から任意のＣＤＭＡチャネルに対する最適送信減衰値を読み出す（ステップＳ１１０３）。
【００７７】
次いで、前記ＢＣＰ２０２は、αセクターに属する任意のＣＤＭＡチャネルに該当する最適送信減衰値とα／βセクターハンドオフ時αセクターに属する任意のＣＤＭＡチャネルに対する最適送信減衰値とを相互比較して、二つの送信減衰値の中で呼完了率がより良い１つの１次最終送信減衰値を選択する（ステップＳ１１０５）。
【００７８】
また、前記ＢＣＰ２０２は、前記メモリ２０６内に貯蔵されたγ／αセクターハンドオフ時αセクターでサービスする多数個のＣＤＭＡチャネルに対する最適送信減衰値から任意のＣＤＭＡチャネルに対する最適送信減衰値を読み出す（ステップＳ１１０７）。次いで、前記ＢＣＰ２０２は、γ／αセクターハンドオフ時αセクターに属する任意のＣＤＭＡチャネルに対する最適送信減衰値と、１次最終送信減衰値とを相互比較して、二つの送信減衰値の中で呼完了率がより良い１つの２次最終送信減衰値を選択する（ステップＳ１１０９）。
【００７９】
次いで、前記ＢＣＰ２０２は、αセクターに属する任意のＣＤＭＡチャネルに対する２次最終送信減衰値を前記メモリ２０６に貯蔵させると同時に、多数個のＲＦアップコンバーター２０４からαセクターに属する任意のＣＤＭＡチャネルを支援する該当ＲＦアップコンバーター２０４にセッティングさせる（ステップＳ１１１１）。
【００８０】
次いで、前記ＢＣＰ２０２は、αセクターに属する全てのＣＤＭＡチャネルに対する２次最終送信減衰値選択動作が完了したかの如何を判断して（ステップＳ１１１３）、αセクターに属する全てのＣＤＭＡチャネルに対する２次最終送信減衰値選択動作が完了すれば、前記ＢＣＰ２０２は、前記ステップＳ１００３に進行する（ステップＳ１１１３）。
【００８１】
それに対し、前記ステップＳ１１１３で、３セクターからαセクターに属する全てのＣＤＭＡチャネルに対する２次最終送信減衰値選択動作が完了しなければ、前記ＢＣＰ２０２は、αセクターに属するＣＤＭＡチャネルのインデックス値を１増加させた後、前記ステップＳ１１０１に進行する（ステップＳ１１１５）。
【００８２】
また、前記ＢＣＰ２０２は、前記ステップＳ１００１以後、βセクターでサービスする多数個のＣＤＭＡチャネルに対する最適送信減衰値とα／βセクター、及びβ／γセクターハンドオフ時βセクターでサービスする多数個のＣＤＭＡチャネルに対する最適送信減衰値を前記メモリ２０６から読み出した後相互比較して、βセクターでサービスする多数個のＣＤＭＡチャネルに対する最終送信減衰値を選択すると同時に、該当ＲＦアップコンバーター２０４に各々セッティングさせる（ステップＳ１００３）。
【００８３】
ここで、上述したステップＳ１００３は、図１２に示すように、ステップＳ１２０１からステップＳ１２１５の細部ステップからなり、これを説明すれば、以下の通りである。
【００８４】
前記ＢＣＰ２０２は、前記メモリ２０６内に貯蔵されたβセクターでサービスする多数個のＣＤＭＡチャネルの最適送信減衰値から任意のＣＤＭＡチャネルに該当する最適送信減衰値を読み出す（ステップＳ１２０１）。次いで、前記ＢＣＰ２０２は、前記メモリ２０６内に貯蔵されたα／βセクターハンドオフ時、βセクターでサービスする多数個のＣＤＭＡチャネルに対する最適送信減衰値から任意のＣＤＭＡチャネルに対する最適送信減衰値を読み出す（ステップＳ１２０３）。
【００８５】
次いで、前記ＢＣＰ２０２は、βセクターに属する任意のＣＤＭＡチャネルに該当する最適送信減衰値とα／βセクターハンドオフ時βセクターに属する任意のＣＤＭＡチャネルに対する最適送信減衰値とを相互比較して、二つの送信減衰値の中で呼完了率がより良い１つの１次最終送信減衰値を選択する（ステップＳ１２０５）。
【００８６】
また、前記ＢＣＰ２０２は、前記メモリ２０６内に貯蔵されたβ／γセクターハンドオフ時、βセクターでサービスする多数個のＣＤＭＡチャネルに対する最適送信減衰値から任意のＣＤＭＡチャネルに対する最適送信減衰値を読み出す（ステップＳ１２０７）。次いで、前記ＢＣＰ２０２は、β／γセクターハンドオフ時、βセクターに属する任意のＣＤＭＡチャネルに対する最適送信減衰値と、１次最終送信減衰値とを相互比較して、二つの送信減衰値の中で呼完了率がより良い１つの２次最終送信減衰値を選択する（ステップＳ１２０９）。
【００８７】
次いで、前記ＢＣＰ２０２は、βセクターに属する任意のＣＤＭＡチャネルに対する２次最終送信減衰値を前記メモリ２０６に貯蔵させると同時に、多数個のＲＦアップコンバーター２０４からβセクターに属する任意のＣＤＭＡチャネルを支援する該当ＲＦアップコンバーター２０４にセッティングさせる（ステップＳ１２１１）。
【００８８】
次いで、前記ＢＣＰ２０２は、βセクターに属する全てのＣＤＭＡチャネルに対する２次最終送信減衰値選択動作が完了したかの如何を判断して（ステップＳ１２１３）、βセクターに属する全てのＣＤＭＡチャネルに対する２次最終送信減衰値選択動作が完了すれば、前記ＢＣＰ２０２は、前記ステップＳ１００５に進行する（ステップＳ１２１３）。
【００８９】
それに対し、前記ステップＳ１２１３で、３セクターの中でβセクターに属する全てのＣＤＭＡチャネルに対する２次最終送信減衰値選択動作が完了しなければ、前記ＢＣＰ２０２は、βセクターに属するＣＤＭＡチャネルのインデックス値を１増加させた後前記ステップＳ１２０１に進行する（ステップＳ１２１５）。
【００９０】
また、前記ＢＣＰ２０２は、前記ステップＳ１００３以後、γセクターでサービスする多数個のＣＤＭＡチャネルに対する最適送信減衰値とβ／γセクター、及びγ／αハンドオフ時γセクターでサービスする多数個のＣＤＭＡチャネルに対する最適送信減衰値を前記メモリ２０６から読み出した後相互比較して、γセクターでサービスする多数個のＣＤＭＡチャネルに対する最終送信減衰値を選択すると同時に、該当ＲＦアップコンバーター２０４に各々セッティングさせる（ステップＳ１００５）。
【００９１】
ここで、上述したステップＳ１００５は、図１３に示すように、ステップＳ１３０１からステップＳ１３１５の細部ステップからなり、これを説明すれば、以下の通りである。
【００９２】
前記ＢＣＰ２０２は、前記メモリ２０６内に貯蔵されたγセクターでサービスする多数個のＣＤＭＡチャネルの最適送信減衰値から任意のＣＤＭＡチャネルに該当する最適送信減衰値を読み出す（ステップＳ１３０１）。次いで、前記ＢＣＰ２０２は、前記メモリ２０６内に貯蔵されたβ／γセクターハンドオフ時γセクターでサービスする多数個のＣＤＭＡチャネルに対する最適送信減衰値から任意のＣＤＭＡチャネルに対する最適送信減衰値を読み出す（ステップＳ１３０３）。
【００９３】
次いで、前記ＢＣＰ２０２は、γセクターに属する任意のＣＤＭＡチャネルに該当する最適送信減衰値と、β／γセクターハンドオフ時γセクターに属する任意のＣＤＭＡチャネルに対する最適送信減衰値とを相互比較して、二つの送信減衰値の中で呼完了率がより良い１つの１次最終送信減衰値を選択する（ステップＳ１３０５）。
【００９４】
また、前記ＢＣＰ２０２は、前記メモリ２０６内に貯蔵されたγ／αセクターハンドオフ時、γセクターでサービスする多数個のＣＤＭＡチャネルに対する最適送信減衰値から任意のＣＤＭＡチャネルに対する最適送信減衰値を読み出す（ステップＳ１３０７）。次いで、前記ＢＣＰ２０２は、γ／αセクターハンドオフ時γセクターに属する任意のＣＤＭＡチャネルに対する最適送信減衰値と、１次最終送信減衰値とを相互比較して、二つの送信減衰値の中で呼完了率がより良い１つの２次最終送信減衰値を選択する（ステップＳ１３０９）。
【００９５】
次いで、前記ＢＣＰ２０２は、γセクターに属する任意のＣＤＭＡチャネルに対する２次最終送信減衰値を前記メモリ２０６に貯蔵させると同時に、多数個のＲＦアップコンバーター２０４の中で、γセクターに属する任意のＣＤＭＡチャネルを支援する該当ＲＦアップコンバーター２０４にセッティングさせる（ステップＳ１３１１）。次いで、前記ＢＣＰ２０２は、γセクターに属する全てのＣＤＭＡチャネルに対する２次最終送信減衰値選択動作が完了したかの如何を判断して（ステップＳ１３１３）、γセクターに属する全てのＣＤＭＡチャネルに対する２次最終送信減衰値選択動作が完了すれば、前記ＢＣＰ２０２は、前記ステップＳ１００７に進行する（ステップＳ１３１３）。
【００９６】
それに対し、前記ステップＳ１３１３で、３セクターの中でγセクターに属する全てのＣＤＭＡチャネルに対する２次最終送信減衰値選択動作が完了しなければ、前記ＢＣＰ２０２は、γセクターに属するＣＤＭＡチャネルのインデックス値を１増加させた後、前記ステップＳ１３０１に進行する（ステップＳ１３１５）。次いで、前記ＢＣＰ２０４は、前記メモリ２０６に貯蔵されたα、β、γセクターで各々サービスする多数個のＣＤＭＡチャネルに対する最終送信減衰値と動作結果を前記ＢＳＭ１００を介して運用者にディスプレーさせる（ステップＳ１００７）。
【００９７】
一方、本発明に係る移動通信システム内３セクター基地局の送信電力自動変更方法は、一例に過ぎないし、１個のセクターを有するオムニ（ｏｍｎｉ）基地局や２セクター基地局だけでなく、多数個のセクターを有する基地局に対する送信電力変更までも本発明を応用すれば、全て行うことができる。
【００９８】
なお、本発明の技術思想は、上記好ましい実施例によって具体的に記述されたが、上記した実施例はその説明のためのものであって、その制限のためのものでないことに留意されるべきである。また、本発明の技術分野の通常の専門家であるならば、本発明の技術思想の範囲内で種々の実施例が可能であることを理解されるべきである。
【００９９】
【発明の効果】
以上説明したように、本発明によれば、３セクター基地局で各セクター別にサービスする多数個のＣＤＭＡチャネルの最適送信減衰値を自動に検出した後、該当ＲＦアップコンバーターに各々セッティングさせることによって、３セクター基地局の最適送信減衰値検出及びセッティング動作が便利となるとともに時間が短縮されるだけだけでなく、従来のように、セルプラン（ＣＥＬＬ−ＰＬＡＮ）装備を使用しなくても良いので、送信減衰値点検動作に必要な費用を低減させることができるという優れた効果がある。
【図面の簡単な説明】
【図１】一般的な移動通信システムで３セクター３チャネル基地局のセクター別ＣＤＭＡチャネルが属するサブセル構造を示した図である。
【図２】本発明の一実施例に係る移動通信システム内３セクター基地局の送信電力自動変更装置の構成を示した機能ブロック図である。
【図３】本発明の一実施例に係る移動通信システム内３セクター基地局の送信電力自動変更方法を示したフローチャートである。
【図４】図３に係る移動通信システム内３セクター基地局の送信電力自動変更方法の中で、αセクターに属する多数個のＣＤＭＡチャネルの最適送信減衰値検出ステップを詳細に示したフローチャートである。
【図５】図３に係る移動通信システム内３セクター基地局の送信電力自動変更方法の中で、βセクターに属する多数個のＣＤＭＡチャネルの最適送信減衰値検出ステップを詳細に示したフローチャートである。
【図６】図３に係る移動通信システム内３セクター基地局の送信電力自動変更方法の中で、γセクターに属する多数個のＣＤＭＡチャネルの最適送信減衰値検出ステップを詳細に示したフローチャートである。
【図７】図３に係る移動通信システム内３セクター基地局の送信電力自動変更方法の中で、α／βセクター間ソフトハンドオフ時のα／βセクターに同一に属する多数個ＣＤＭＡチャネルの最適送信減衰値検出ステップを詳細に示したフローチャートである。
【図８】図３に係る移動通信システム内３セクター基地局の送信電力自動変更方法の中で、β／γセクター間ソフトハンドオフ時のβ／γセクターに同一に属する多数個ＣＤＭＡチャネルの最適送信減衰値検出ステップを詳細に示したフローチャートである。
【図９】図３に係る移動通信システム内３セクター基地局の送信電力自動変更方法の中で、γ／αセクター間ソフトハンドオフ時のγ／αセクターに同一に属する多数個ＣＤＭＡチャネルの最適送信減衰値検出ステップを詳細に示したフローチャートである。
【図１０】図３に係る移動通信システム内３セクター基地局の送信電力自動変更方法の中で、α、β、γセクターに各々属する多数個のＣＤＭＡチャネルの最終送信減衰値選択ステップを詳細に示したフローチャートである。
【図１１】図１０に係るα、β、γセクターに各々属する多数個のＣＤＭＡチャネルの最終送信減衰値選択ステップである第９ステップＳ３１７の中で、αセクターに属する多数個のＣＤＭＡチャネルの最終送信減衰値選択ステップを詳細に示したフローチャートである。
【図１２】図１０に係るα、β、γセクターに各々属する多数個のＣＤＭＡチャネルの最終送信減衰値選択ステップである第９ステップＳ３１７の中で、βセクターに属する多数個のＣＤＭＡチャネルの最終送信減衰値選択ステップを詳細に示したフローチャートである。
【図１３】図１０に係るα、β、γセクターに各々属する多数個のＣＤＭＡチャネルの最終送信減衰値選択ステップである第９ステップＳ３１７の中で、γセクターに属する多数個のＣＤＭＡチャネルの最終送信減衰値選択ステップを詳細に示したフローチャートである。
【符号の説明】
１００    ＢＳＭ
２００    ３セクター基地局
２０２    ＢＣＰ
２０４    ＲＦアップコンバーター
２０６    メモリ。
【図１】
0003626910.tif 000002
【図２】
0003626910.tif 000003
【図３】
0003626910.tif 000004
【図４】
0003626910.tif 000005
【図５】
0003626910.tif 000006
【図６】
0003626910.tif 000007
【図７】
0003626910.tif 000008
【図８】
0003626910.tif 000009
【図９】
0003626910.tif 000010
【図１０】
0003626910.tif 000011
【図１１】
0003626910.tif 000012
【図１２】
0003626910.tif 000013
【図１３】
0003626910.tif 000014